(57)【特許請求の範囲】
【請求項１】
樹脂を含有してなる樹脂含有層を含んで構成される外側層と、該外側層の内側に配置された金属を含有してなる金属含有層とを有するセルシートを任意の部位に備え、該セルシートの少なくとも一部に受熱領域を有する遊技機であって、
前記受熱領域に、前記外側層を貫通して該外側層の外側面から少なくとも前記金属含有層の外側面まで延びる通気孔が穿設されていることを特徴とする遊技機。
【請求項２】
前記セルシートを、遊技盤、遊技盤に配置される遊技部品および前面枠よりなる群から選ばれる少なくとも１つの部位に備えることを特徴とする請求項１に記載の遊技機。
【請求項３】
前記受熱領域に、ドットを配列して構成される識別コードが刻印されており、
前記通気孔の開口面積が、前記識別コード１ドットの面積の１／３以下であることを特徴とする請求項１または請求項２に記載の遊技機。
【請求項４】
前記受熱領域に、ドットを配列して構成される識別コードが刻印されており、
前記通気孔の開口面積が、前記識別コード１ドットの面積の１／１００より大であることを特徴とする請求項１から請求項３のいずれかに記載の遊技機。
【請求項５】
前記受熱領域に、ドットを配列して構成される識別コードが刻印されており、
前記通気孔間の間隔が、前記識別コード１ドットの寸法よりも大きいことを特徴とする請求項１から請求項４のいずれかに記載の遊技機。
【請求項６】
樹脂を含有してなる樹脂含有層を含んで構成される外側層と、該外側層の内側に配置された金属を含有してなる金属含有層とを有するセルシートの少なくとも一部に高温処理を施す高温処理工程と、
前記高温処理工程より以前に、前記セルシートにおいて高温処理が施される領域に、前記外側層を貫通して該外側層の外側面から少なくとも前記金属含有層の外側面まで延びる通気孔を穿設する通気孔穿設工程とを有することを特徴とする遊技機の製造方法。
【発明の詳細な説明】
【技術分野】
【０００１】
本発明は、パチンコ機に代表される遊技機に関するものである。
【背景技術】
【０００２】
従来、パチンコ機等の遊技機は、数多くの工程を経て製造されている。例えば、パチンコ機の遊技領域を構成する遊技盤は、まずベニヤ板等の板材の表面に樹脂製の装飾シート（セルシート）を貼付して、ベース（基材）となる装飾板を製造した後、当該装飾板を所定形状に切削するルーター加工等を経て製造される。そして、ルーター加工後の装飾板に対し多数の釘を植設するとともに、表示装置や入賞装置、装飾部材等といった各種部材を取付けることにより、遊技盤が完成する。
【０００３】
上記のような遊技盤においては、例えば、装飾シートとして、内部にアルミニウム等の金属よりなる層を形成して鏡面状とし、これにより前方からの見栄えが派手となるように構成されたものもある。
【０００４】
一方、近年では、製造する遊技機の種別（機種）等を特定可能なバーコード等の識別コードを遊技盤の装飾シート等に対し印刷することにより、製造工程を管理している（例えば、特許文献１参照）。例えば、各種部材の取付工程においては、所定の読取装置により遊技盤に付されたバーコードの内容を読み取り、当該遊技盤に対しその機種に応じた各種部材の取付作業を行う。
【先行技術文献】
【特許文献】
【０００５】
【特許文献１】特開平７−３１３６７３号公報
【発明の概要】
【発明が解決しようとする課題】
【０００６】
さらに、識別コードとして、上記のようにバーコードを装飾シートに印刷する以外にも、ＱＲコードで構成された識別コードを装飾シートにレーザにより焼き付けることによって刻印することもなされている。
【０００７】
ところが、上述のような内部に金属層を有する装飾シートにレーザによる焼き付けを行うと、レーザによる熱によって金属が高温化し、この影響により表面の樹脂層が変形することとなりやすい。このように表面の樹脂層が変形すると、識別コードが正しく刻印されず、その読取が困難となる不具合が生じる虞がある。
【０００８】
本発明は、かかる問題点に鑑みて案出されたものであり、高温処理を施しても樹脂層が変形し難いセルシートを備える遊技機を提供することを目的とする。
【課題を解決するための手段】
【０００９】
本発明にかかる遊技機は、上記目的を達成するために、
樹脂を含有してなる樹脂含有層を含んで構成される外側層と、該外側層の内側に配置された金属を含有してなる金属含有層とを有するセルシートを任意の部位に備え、該セルシートの少なくとも一部に受熱領域を有する遊技機であって、
前記受熱領域に、前記外側層を貫通して該外側層の外側面から少なくとも前記金属含有層の外側面まで延びる通気孔が穿設されていることを特徴とする。
【００１０】
上記本発明の構成によれば、高温処理により金属含有層の金属が熱を持っても、この熱が通気孔を通して外部に逃げることができ、これにより金属含有層の高温化が抑制されて樹脂含有層の変形も抑制される。したがって、高温処理が識別コードを刻印する処理である場合にも当該識別コードの刻印を正しく行うことができ、識別コードの読取が困難となる不具合も生じ難い。
【発明の効果】
【００１１】
本発明によれば、セルシートにレーザによる焼き付け等の高温処理を施しても、金属含有層の高温化を抑制することができて樹脂含有層の変形も抑制することが可能となる。したがって、レーザによる識別コードの刻印も正しく行うことができるので、識別コードの読取が困難となる不具合も生じ難くすることができる。
【図面の簡単な説明】
【００１２】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】主表示ユニットの斜視図。
【図６】図１のパチンコ機の背面の構成を示す分解斜視図。
【図７】図４の遊技盤の背面側の斜視図。
【図８】図４の遊技盤の背面図。
【図９】パチンコ機の電気的構成の一例を示すブロック図。
【図１０】遊技盤の製造工程を示すフローチャート。
【図１１】（ａ）は、装飾板を構成する板材と、そこに貼付されるセルシートとを分けた状態で示す正面模式図であり、（ｂ）は、装飾板を示す正面模式図であり、（ｃ）は、仮識別コードが切除された状態の装飾板を示す正面模式図。
【図１２】遊技盤の加工位置案内具の斜視図。
【図１３】遊技盤の加工位置案内具の斜視断面図。
【図１４】遊技盤の加工位置案内具を案内体勢とした状況を示す正面図。
【図１５】遊技盤の加工位置案内具を用いて本識別コードシールを貼付した状況を示す正面図。
【図１６】本識別コードシールがズレて貼付された状況を示す正面図。
【図１７】セルシートの構造を示す模式部分断面図。
【図１８】セルシートにおいて刻印本識別コードを内包する領域に通気孔を穿設した状況を示す正面図。
【図１９】非貫通式穿孔方法により穿孔治具で通気孔を穿設する状況を示す模式部分断面図。
【図２０】貫通式穿孔方法により穿孔治具で通気孔を穿設する状況を示す模式部分断面図。
【図２１】別の実施形態に係る遊技盤の加工位置案内具を案内体勢とした状況を示す正面図。
【図２２】別の実施形態に係る遊技盤の加工位置案内具を案内体勢とした状況を示す正面図。
【図２３】別の実施形態に係る遊技盤の加工位置案内具を案内体勢とした状況を示す正面図。
【図２４】図２３の遊技盤の加工位置案内具の背面図。
【図２５】別の実施形態に係る遊技盤の加工位置案内具を案内体勢とした状況を示す正面図。
【図２６】別の実施形態に係る遊技盤の加工位置案内具の斜視図。
【図２７】図２６の遊技盤の加工位置案内具の正面図。
【図２８】図２６の遊技盤の加工位置案内具の左側面図。
【図２９】ルーター加工前の遊技板におけるシール貼付位置付近の状況を示す正面図。
【図３０】遊技板のルーター加工前の段階で図２６の遊技盤の加工位置案内具を案内体勢とした状況を示す正面図。
【図３１】遊技板のルーター加工前の段階で図２６の遊技盤の加工位置案内具を案内体勢とした状況を示す右側面図。
【発明を実施するための形態】
【００１３】
以下、本発明の最良の形態を、図面に基づいて詳細に説明する。ここでは、遊技機としてパチンコ遊技機（以下、単に「パチンコ機」という）を挙げる。
【００１４】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１５】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１６】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００１７】
また、内枠１２は、その最下部に下皿ユニット１３を有し、内枠１２の左側の上下方向の開閉軸線を軸心にして開閉自在に取り付けられた前面枠セット１４と、樹脂ベース２５（図６参照）と、この樹脂ベース２５の後側に取り付けられる後述の遊技盤３０とを備えている。これらの各構成を以下に詳細に説明する。
【００１８】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１９】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００２０】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００２１】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２２】
次に、図４を用いて遊技盤３０の構成を説明する。図４は遊技盤３０の構成を示す正面図である。遊技盤３０は、一般入賞口を備える一般入賞装置３１、可変入賞装置３２、中央始動口３３ａと右始動口３３ｂ（作動チャッカ３３ｂで構成）と一対の開閉羽根６０とを備える始動入賞装置３３、通過口を備える作動入賞装置３４（スルーゲートで構成）、主表示ユニット３７１、装飾図柄表示装置４２を備える可変表示装置ユニット３５等が設けられている。これらの一般入賞装置３１、可変入賞装置３２、始動入賞装置３３、作動入賞装置３４、可変表示装置ユニット３５等は、遊技盤３０における、ルータ加工によって形成された各貫通穴にそれぞれに配設され、遊技盤３０前面側から木ネジ等により取り付けられている。また、右始動口３３ｂの入口には、一対の開閉羽根６０が設けられており、遊技球を案内する開放位置と、右始動口３３ｂ内に遊技球が入りにくくなる（入らない）閉塞位置を採りうる。開閉羽根６０は、遊技盤３０の裏面側に配設されたソレノイドＳＬ１によって駆動される。また、中央始動口３３ａの下方には、大入賞口（収容部の入口）６１が配置されている。大入賞口６１については、後に言及する。大入賞口６１内には、入球検出スイッチＳＷ１が設けられている。
【００２３】
前述の一般入賞装置３１、可変入賞装置３２および始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２４】
主表示ユニット３７１は、後述する主制御装置２６１が直接的に制御する表示装置ユニットであり、図５に示すように、右上の隅部が直角でその対辺が左上から右下へ延びる斜辺となっている、やや上下に長い概略直角三角形の各隅部（角部）が丸く角落ちするとともに、斜辺が遊技領域の右上部に沿って弧状に内側へ湾曲する正面形状を有し、前後に遊技球の直径よりやや大きい程度の厚みを有する立体状の外形を有する部品となっている。主表示ユニット３７１における右上には、ネジ挿通孔を有するフランジ３７１Ｈが背面に沿って形成され、右下の隅部には、前面側から後面壁まで凹入し該後面壁にネジ挿通孔（図示せず）を有する正面視概略Ｕ字状のネジ挿通部３７１Ｎが形成され、図４に示すように、フランジ３７１Ｈおよびネジ挿通部３７１Ｎにネジが螺入されて主表示ユニット３７１が遊技盤３０の前面における右上部に固定されている。主表示ユニット３７１における左上の上面部は左下方へやや下傾するように形成され、その中央部は、図４に示すように、遊技球の最大飛翔部分に対応する外レール５２の先端部に近接し、この部位の上に、図５に示すようにゴム板よりなる返しゴム３７１Ｒが取り付けられている。この返しゴム３７１Ｒにより、所定以上の勢いで発射された遊技球が当たって跳ね返されるようになっている。主表示ユニット３７１の前面部には、左上端近傍からネジ挿通部３７１Ｎに隣接するまで斜辺に沿って弧状に延びる正面形状を有して内奥側へ段状に凹入する表示部３７１Ｍが形成されている。
【００２５】
上記表示部３７１Ｍには、７個の表示装置３７１Ａ〜３７１Ｇが上から弧状に並ぶようにして順に配置されている。表示装置３７１Ｂ（第１特別図柄表示装置）は、中央始動口３３aへの遊技球の入賞を契機に変動表示される第１特別図柄を表示するものであり、表示装置３７１Ｄ（第２特別図柄表示装置）は、右始動口３３bへの遊技球の入賞を契機に変動表示される第２特別図柄を表示するものである。これらの表示装置３７１Ｂ,３７１Ｄはそれぞれ、「８」の字状に配列された７個と、隅部にドット状に配列された１個とによる合計８個のＬＥＤのセグメントから構成されている。なお、各特別図柄は、上記表示装置３７１Ｂ,３７１Ｄにおいて同時に変動表示されることがなく入賞順に従って順次行われるため、装飾図柄表示装置４２においては共通の装飾図柄によって特別図柄に対応する表示が行われるようになっている。表示装置３７１Ａ（第１特別図柄保留表示装置）は、第１特別図柄の保留数を表示するものであり、表示装置３７１Ｃ（第１特別図柄保留表示装置）は、第２特別図柄の保留数を表示するものである。これらの表示装置３７１Ａ，３７１Ｃはそれぞれ、左右２個のＬＥＤで構成され、左側のLEDのみあるいは両方を点灯又は点滅させることにより最大で４個までの保留数を表示するようになっている。なお、センターフレーム４３の下部には、２色の発光が可能な合計４個のランプよりなる保留ランプ８００ａが装飾図柄表示装置４２の下辺に沿って配列されており（図４参照）、この保留ランプ８００ａによって表示される装飾図柄の保留数は、遊技状態（後述するサポート状態か否か）に応じて、上記表示装置３７１Ａ，３７１Ｃのうち何れかが表示する保留数と対応するようになっている。表示装置３７１Ｅ（普通図柄表示装置）は、作動入賞装置３４における通過口への遊技球の入賞を契機に変動表示される普通図柄を表示するものであり、左右２個のＬＥＤで構成され、片側のLEDのみを点灯させることで外れを表示し、両方を点灯させることで当りを表示するようになっている。表示装置３７１Ｆ（普通図柄保留表示装置）は、普通図柄の保留数を表示するものであり、左右２個のＬＥＤで構成され、左側のLEDのみあるいは両方を点灯又は点滅させることにより最大で４個までの保留数を表示するようになっている。表示装置３７１Ｇは、遊技状態の種別を表示するものであり、合計８個のＬＥＤで構成されている。これらのＬＥＤがそれぞれ消灯、点灯、点滅の何れかに変化し、全消灯を除く６５６０通りの組み合わせによって、１．通常遊技状態（大当たり乱数カウンタＣ１の抽選が低確率であり、サポート状態ではない）、２．時短状態（大当たり乱数カウンタＣ１の抽選が低確率であり、サポート状態）、３．潜伏高確率状態（大当たり乱数カウンタＣ１の抽選が高確率であり、サポート状態ではない）、４．高確率状態（大当たり乱数カウンタＣ１の抽選が高確率であり、サポート状態）、及び５．大当たり状態の何れかを表示するようになっており、大当たり状態を表示するのに際してはその大当たりの最大ラウンド数によって異なる表示が行われる。
【００２６】
上記装飾図柄表示装置４２は液晶表示装置として構成されており、後述する表示制御装置により表示内容が制御される。装飾図柄表示装置４２には、例えば上、中、及び下の３箇所に識別情報としての図柄（装飾図柄）が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。遊技球が始動入賞装置３３を通過した回数は最大４回まで保留され、その保留回数が保留ランプ８００ａにて点灯表示されるようになっているが、この保留ランプ８００ａが表示する保留回数は、装飾図柄表示装置４２の一部（具体的には右下部）にも表示される。この保留表示は、保留数に対応する数のキャラクタ画像が並列的に表示されるものである。
【００２７】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。
【００２８】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２９】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００３０】
尚、遊技領域は、レールユニット５０の内周部（内外レール）と主表示ユニット３７１の斜辺とにより略円形状に区画形成されており、特に本形態では、遊技盤３０の盤面上に区画される遊技領城が従来よりもはるかに大きく構成されている。
【００３１】
（パチンコ機の背面構成）
次に、パチンコ機１０の背面の構成を説明する。図６はパチンコ機１０の背面の構成を示す分解斜視図である。
【００３２】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の裏カバー（保護カバー）等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３３】
また、払出機構および裏カバー（保護カバー）も上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３４】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３５】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３６】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３７】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３８】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３９】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００４０】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００４１】
裏パックユニット２０３は、樹脂成形された裏パック３５１と遊技球の払出機構部３５２とを一体化したものである。
【００４２】
裏パック３５１は例えばＡＢＳ樹脂により成型されており、略平坦状のベース部３５３と、パチンコ機後方に突出し横長の略直方体形状をなす裏カバー部（保護カバー部）３５４とを有する。裏カバー部３５４は左右側面および上面が閉鎖されかつ下面のみが開放された形状をなし、少なくとも電動役物表示制御装置４５を囲むのに十分な大きさを有する（但し本形態では、前述のサブ制御装置２６２も合わせて囲む構成となっている）。裏カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４３】
また、ベース部３５３には、裏カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４４】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４５】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４６】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４７】
（パチンコ機の電気的構成及び各種制御処理）
次に、図９を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４８】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４９】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００５０】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００５１】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、主表示ユニット３７１（第１特別図柄保留表示装置３７１Ａ、第１特別図柄表示装置３７１Ｂ、第２特別図柄保留表示装置３７１Ｃ、第２特別図柄表示装置３７１Ｄ、普通図柄表示装置３７１Ｅ、普通図柄保留表示装置３７１Ｆ、状態報知用表示装置３７１Ｇ）や、その他図示しない入賞検知スイッチ群や不正検知スイッチ群などが接続されている。なお、装飾図柄保留表示装置８００（保留ランプ８００ａ）は、サブ制御装置２６２に従属する表示制御装置４５に接続されている。
【００５２】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５３】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５４】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５５】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５６】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５７】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５８】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５９】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００６０】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００６１】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６２】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６３】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６４】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６５】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６６】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として２個の特別図柄表示装置で表示される特別図柄と、単一の装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６７】
先ず、第１特別図柄表示装置３７１Ｂ及び第２特別図柄表示装置３７１Ｄで行われる特別図柄の表示内容について説明する。特別図柄の変動表示は、８個のＬＥＤセグメントの点灯パターンの変化によりそれぞれ表現される。この特別図柄の変動表示は遊技球の始動入賞装置３３への入賞を契機としてその入賞順に基づいて第１特別図柄表示装置３７１Ｂ及び第２特別図柄表示装置３７１Ｄの何れかで開始され、所定時間後に停止する。具体的には、対応する側の特別図柄表示装置の点灯状態を中止する全消灯処理を行った後、所定の順番で各ＬＥＤセグメントを順次点灯させる切替処理を実行することで変動を開始させ、後述する停止パターン選択カウンタＣ３の値によって決定された変動表示時間が経過すると上述の切替処理を中断して全消灯処理を行い、後述する大当たり乱数カウンタＣ１及び大当たり図柄カウンタＣ２の値に基づいて決定された態様によって各ＬＥＤセグメントを点灯させるようになっており、大当たり抽選における外れ結果を表示する場合にはドット状の１個のＬＥＤセグメントのみを点灯表示させる一方、大当たり結果を表示する場合には、大当たり後に高確率遊技状態を発生させる当選であるか否かによって異なる数字を「８」の字状に並ぶ７個のＬＥＤセグメントを用いて点灯表示する。なお、一方の特別図柄表示装置が変動表示状態である期間において他方の特別図柄表示装置は変動表示を行わず、最後に変動表示された際に停止表示した図柄の点灯表示を継続した状態とされる。遊技球が始動入賞装置３３の中央始動口３３ａ及び右始動口３３ｂに入賞した回数はそれぞれ最大４回まで保留され、それらの保留回数は、中央始動口３３ａへの入賞に対応する保留数については第１特別図柄保留表示装置３７１Ａ及び装飾図柄表示装置４２の所定領域にてそれぞれ表示され、右始動口３３ｂへの入賞に対応する保留数については第２特別図柄保留表示装置３７１Ｃ及び装飾図柄表示装置４２の所定領域にて表示されるようになっており、加えて、装飾図柄保留表示装置８００の保留ランプ８００ａにて、遊技状態に応じて、中央始動口３３ａへの入賞に対応する保留回数又は右始動口３３ｂへの入賞に対応する保留回数が点灯表示されるようになっている。
【００６８】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。なお、遊技状態がサポート状態（一対の開閉羽根６０が通常より開放し易く且つ開放時間が通常よりも長い状態）を含まない状態である場合においては装飾図柄保留表示装置８００の保留ランプ８００ａにて中央始動口３３ａへの入賞に対応する保留回数が赤色の発光で点灯表示される一方、遊技状態がサポート状態を含む状態である場合においては装飾図柄表示装置８００の保留ランプ８００ａにて右始動口３３ｂへの入賞に対応する保留回数が点灯表示されるようになっている。
【００６９】
次いで、普通図柄表示装置３７１Ｅにおいて行われる普通図柄の表示内容について説明する。普通図柄の変動表示は、上述した２個のＬＥＤを交互に点灯させることにより表現される。この普通図柄の変動表示は遊技球が作動入賞装置３４の通過口を通過することを条件として開始され、所定時間後に普通図柄の変動表示が停止する。そして、両方のＬＥＤを点灯状態で停止させた場合に始動入賞装置３３が所定時間だけ作動状態となる（一対の開閉羽根６０が開放される）よう構成されている。遊技球が作動入賞装置３４の通過口を通過した回数は最大４回まで保留され、その保留回数が普通図柄保留表示装置３７１Ｆにて点灯表示されるようになっている。
【００７０】
（電源投入時）
パチンコ機１０の電源立ち上げ時には、動作確認および電源投入報知として、スピーカ、装飾図柄表示装置４２の液晶画面、枠に配置された各種ＬＥＤ、遊技盤３０に配置された各種ＬＥＤ等の各部が所定時間（本実施形態では３０秒間）に亘って予め定められた動作をするように設定されている。このため、これら各部が正常に機能するか否かを目視確認できる。このとき、パチンコ機１０に不正な改変が加えられたりしていないか否かも併せて確認できる。
【００７１】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７２】
ここで、変動パターンとは、変動表示の特徴が共通するものを区分した場合における各パターン（形態）を意味している。
【００７３】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７４】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７５】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７６】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７７】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００７８】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７９】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００８０】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００８１】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、スペシャルリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８２】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８３】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８４】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、作動入賞装置３４への遊技球の通過に合わせて、当たり乱数カウンタＣ４の値が格納される。
【００８５】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が作動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８６】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８７】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８８】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８９】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００９０】
（特徴構成）
本パチンコ機１０における遊技盤３０の構成について、以下、製造工程に基づいてさらに説明する。遊技盤３０は、ベース（基材）となる装飾板（遊技板）６０３（図１１参照）に対し各種役物等が取付けられて構成されている。図１０は、遊技盤３０の製造工程を説明するためのフローチャート図である。
【００９１】
＜Ｉ．装飾板（遊技板）製作ライン＞
ステップＳ１０１のシート貼付工程では、板材６００に対し装飾シートとしてのセルシート６０１が貼付されることで、装飾板（遊技板）６０３が製造される〔図１１（ａ），（ｂ）参照〕。図１１（ａ）は、装飾板６０３を構成する板材６００と、そこに貼付されるセルシート６０１とを分けた状態で示す正面模式図であり、図１１（ｂ）は、装飾板６０３を示す正面模式図である。
【００９２】
より詳しくは、まず製造しようとしている遊技盤３０（パチンコ機１０）に対応するセルシート６０１を作業者が所定のシート貼付装置にセットする。続いて、所定の貯留場所からコンベア等で搬送されてきた未加工の板材６００の表面に対し接着剤を塗布した上で、１枚のセルシート６０１が貼付される。板材６００には、矩形状（長方形状）で、２箇所に位置決め用の孔を有するベニヤ板が用いられている。
【００９３】
また、本実施形態に係るセルシート６０１は、後でより具体的に記述するが、例えば板材６００との接着層となる定着層と、遊技領域に対応する部分に各種デザイン画（イラスト）等が印刷される印刷層と、当該印刷層の表面側を覆う透明な樹脂表面層とが積層された基本構造となっている。該セルシート６０１は、各種デザイン画（イラスト）等の印刷部分を除く地の部分は基本的に白色となっている。
【００９４】
さらに、セルシート６０１の左下コーナ部（第１のコーナー部）近傍には、予め第１識別コードとしての仮識別コード６０５が付されている。本実施形態における仮識別コード６０５は、二次元コードであるＱＲコード（登録商標）により構成されている。この仮識別コード６０５には、例えば、セル番号情報、セルメーカー名情報、機種名情報、枠名情報、内枠１２の種別情報、遊技盤３０の盤面データ情報など、各種情報が記憶されている。なお、仮識別コード６０５が付された装飾板６０３（セルシート６０１）の左下コーナ部近傍部位６１５は、後述するルーター加工によって切除される部位である〔図１１（ｃ）参照〕。
【００９５】
上記セル番号情報としては、具体的には、例えば”ＳＢ０８７”のように、アルファベット２字とアラビア数字３字とをこの順に配列して構成されたもの等が挙げられる。この文字列を構成する各文字の表す情報は、例えば次のようなものとすることができる。即ち、第１のアルファベット”Ｓ”は、セルのメーカを表し、例えばセルメーカが３社あった場合、”Ｓ, Ｔ, Ｕ”等のアルファベット３字から選ばれ、これによりセルメーカの識別ができる情報となっている。第２のアルファベット”Ｂ”は、当該セルシートの販売年を表し、例えば”Ａ”は２００８年、”Ｂ”は２００９年というようになっている。第１〜第３のアラビア数字で構成される３桁の数”０８７”は、セルの種類を表し、また同時に、この３桁の数だけでもセルメーカが識別できるように数の範囲がセルメーカ毎に振り分けられてある（例えば３３３ずつ３社）。
【００９６】
続くステップＳ１０２の照合工程では、装飾板６０３上の仮識別コード６０５に記憶された上記各種情報のうちの基本情報が、現在製造しようとしている遊技盤３０（パチンコ機１０）に対応したものであるか否かを照合する。本実施形態においては、基本情報として、セル番号情報が、機械の生産順機種データと照合される。
【００９７】
より詳しくは、先ずは所定の読取装置によって仮識別コード６０５の情報を読み取る。そして、所定の管理装置が、当該読み取った基準情報と、自身に予め登録された基準情報とが一致するか否かを判定する（ステップＳ１０３）。なお、当該登録された基準情報とは、後述する本識別コード６０６に含まれる基準情報と同一のものである。
【００９８】
ここで、両情報が一致した場合には、正しいセルシート６０１が貼付されているものとして、ステップＳ１０４の刻印工程に移行する。
【００９９】
一方、両情報が一致しないと判定された場合には、誤ったセルシート６０１が貼付されたおそれがあるとして、管理装置は、所定の警告報知（ステップＳ１１２）を行うとともに、生産ラインを停止させる（ステップＳ１１３）。この後、再びステップＳ１０１のシート貼付工程に戻って別の装飾板６０３を用意し、この新たな装飾板６０３に取り替えて再度ステップＳ１０２の照合工程を行い、正しいセルシート６０１が貼付された装飾板６０３となっていることを確認して、ステップＳ１０４の刻印工程に移行する。
【０１００】
上述のように、装飾板６０３に対し本識別コード６０６を付すにあたり、管理装置に予め登録された情報（これから付される本識別コード６０６に含まれる情報、以下「本コード情報」という。）と、事前にセルシート６０１に付された仮識別コード６０５の内容（以下「仮コード情報」という。）とを照合する。このため、仮にシート貼付工程におけるセルシート６０１のセットミス等に起因して、セルシート６０１の貼り間違いが発生した場合であっても、上記本コード情報と仮コード情報の照合結果に基づき警告報知を行ったり、生産ラインを停止するなど処理が実行されるため、所望の機種に対応しないセルシート６０１が付された装飾板６０３が次工程に送られるといった不具合の発生を防止することができる。同様に、登録情報の入力ミス等が発生した場合であっても、本識別コード６０６の刻印前に本コード情報と仮コード情報の照合を行うため、誤った本識別コード６０６が装飾板６０３に刻印されるといった事態を防止することができる。結果として、製造過程における管理性の向上を図ることができる。
【０１０１】
また、予め定められた機種名情報等のみならず、製造年月日や生産ライン等に関する情報を本識別コード６０６の内容に含ませることができる。結果として、その後の製造過程において何らかの不具合が発生した場合において追跡調査が可能となるなど、利便性が向上する。
【０１０２】
ステップＳ１０４の刻印工程では、所定のレーザー刻印装置により、第２識別コード（本識別コード）としての本識別コード６０６を装飾板６０３の右上コーナ部（第２のコーナー部）近傍にレーザー刻印する。これにより、セルシート６０１の樹脂表面層に本識別コード６０６が刻印されることとなる。ステップＳ１０４の刻印工程が本実施形態におけるコード付け工程に相当する。
【０１０３】
仮識別コード６０５と同様、本識別コード６０６も二次元コードであるＱＲコードにより構成されている。また、本識別コード６０６が付された装飾板６０３（セルシート６０１）の右上コーナ部近傍部位は、後述するルーター工程によって切除されない部位である〔図１１（ｃ）参照〕。さらに、本識別コード６０６が付された部位は、遊技領域外となる部位であり、遊技盤３０単体の状態では露出するが、遊技盤３０を内枠１２に取付けた際には本識別コード６０６は内枠１２により被覆され見えなくなる。
【０１０４】
なお、本識別コード６０６には、上記仮識別コード６０５に含まれる情報に加えて、管理装置によって管理される生産ライン情報や、製造年月日に係る情報（製造年月日情報）、刻印延べ数情報なども含まれる。
【０１０５】
上記本識別コード６０６に含まれる情報をまとめると、以下の通りである。
・セル番号情報（セル番号の目視確認用。仮識別コード６０５に含まれていたものと同一の情報。）
・セルメーカー名情報（セルメーカーの目視確認用。例えば”Ｓ”。仮識別コード６０５に含まれていたものと同一の情報。）
・機種名情報（機種名の目視確認用。例えば”ＣＲ××物語Ｍ”。仮識別コード６０５に含まれていたものと同一の情報。）
・枠名情報（枠名の目視確認用。例えば”Ｐ６ＡＳ”。仮識別コード６０５に含まれていたものと同一の情報。）
・遊技盤種別情報（後述するステップＳ１０７の釘打工程ならびにステップＳ１０９の前面部品取付工程における機械動作を決定する。例えば”２７４”。仮識別コード６０５に含まれていたものと同一の情報。）
・主基板対応情報（後述するステップＳ１１１の遊技盤装着工程で主基板シールの番号と目視照合。例えば”９３Ｄ”。仮識別コード６０５に含まれていたものと同一の情報（機種名情報）。）
・内枠対応情報（後述するステップＳ１１１の遊技盤装着工程で内枠証紙色および番号と目視照合。例えば”１−黒”。仮識別コード６０５に含まれていたものと同一の情報（内枠１２の種別情報）。）
・刻印延べ数情報（遊技盤製作数の目視確認用。）
・製作年月日情報（遊技盤製作年月日の目視確認用。）
【０１０６】
上記のようにして適正に製造された装飾板６０３は、次にステップＳ１０５のルーター加工工程に送られる。
【０１０７】
かかるルーター加工工程においては、ルータ加工機のボス２本に、前記位置決め用の孔を嵌着して位置決めをし、機械の生産順機種データに基づいてルータ加工を行う。ルーター加工が施されると、装飾板６０３には、可変表示装置ユニット３５等を取付けるための貫通孔（図示略）等が形成される。また、装飾板６０３は、左下コーナ部近傍部位６１５や左上コーナ部近傍部位６１６が切除されることで、所定の外周形状となる〔図１１（ｃ）参照〕。その結果、仮識別コード６０５も装飾板６０３から切除されることとなる。
【０１０８】
＜ＩＩ．遊技盤製造ラインＡ＞
上記装飾板（遊技板）製作ラインで作製された装飾板６０３は、２つの遊技盤製造ラインＡ、Ｂに順次送られ、第１の遊技盤製造ラインＡでは、ステップＳ１０７の釘打工程が行われる。釘打工程においては、製造ラインのボス２本に、前記位置決め用の孔を嵌着して位置決めをし、本識別コード６０６の遊技盤種別情報に基づいて釘打ちを行う。
【０１０９】
このとき、本識別コード６０６の情報が所定の読取装置により読み取られる（ステップＳ１０６）。
【０１１０】
ここで、ステップＳ１０６の読み取りの結果、本識別コード６０６の遊技盤種別情報が正しく読み取られて釘打ちが適正に行われた場合には、ステップＳ１０９の前面部品取付工程に移行する。
【０１１１】
一方、ステップＳ１０６の読み取りの結果、本識別コード６０６の遊技盤種別情報が正しく読み取られない場合には、ステップＳ１０４の刻印工程で本識別コード６０６が正しく刻印されていない（異常）と判断され、所定の警告報知（ステップＳ１１４）を行うとともに、生産ラインを停止させ（ステップＳ１１５）、ステップＳ１１６のシール貼付工程に移行する。
【０１１２】
本識別コード６０６の刻印工程（ステップＳ１０４）では、誤動作や位置ズレといった何らかの原因により、本識別コード６０６が正しく刻印されないことがある。このように刻印が正しくなされていない状態でステップＳ１０７の釘打工程まで移行してくると、ステップＳ１０６の読み取りで本識別コード６０６の遊技盤種別情報が読み取られず、釘打工程を行うことができなくなる。そこで、このような場合、上述のように警告報知（ステップＳ１１４）および生産ラインの停止（ステップＳ１１５）を経て、ステップＳ１１６のシール貼付工程に移行し、このシール貼付工程で、本識別コードを印刷したシールを別に用意して手作業で装飾板６０３に貼付し、これによりあらためて本識別コードを装飾板６０３に付すようにする。
【０１１３】
上記本識別コードを印刷したシール（以下、「本識別コードシール」とも称す）６０８は、上記刻印工程で刻印された本識別コード（以下、「刻印本識別コード」とも称す）６０６と同一のＱＲコードを印刷して調製され、したがって言うまでもなく、当該本識別コードシール６０８の本識別コードに含まれる情報も、上記刻印本識別コード６０６に含まれる情報すなわち本コード情報と同一となっている。
【０１１４】
このとき、上記本識別コードシール６０８に含まれる情報には、前述の通り、製造時の情報である刻印延べ数情報や製造年月日情報があることにより、同一種のセルシートであっても本識別コードの態様は別々になる。このため、セルシートの種類ごとに共通のQRコードを予め印刷して所要枚数の本識別コードシール６０８を調製しておくことができず、代わりに、読み取り不可の刻印本識別コード６０６があった場合には、製造ラインを流れる順番における前後のセルシートに付された刻印本識別コード６０６の内容から本識別コードシール６０８に印刷すべき内容を把握し、コード印刷機を作業者が設定して本識別コードシール６０８に印刷する識別コードの内容を調整するようにする。
【０１１５】
シール貼付工程（ステップＳ１１６）においては、上記本識別コードシール６０８を装飾板６０３に貼付するが、このとき、本識別コードシール６０８を手作業により正確な位置に貼付することは難しく、貼付位置がズレることとなりやすい。本識別コードシール６０８の貼付位置がズレると、再度また、遊技盤種別情報が読み取られなくて釘打工程を行うことができないというエラーが繰り返されることとなる。
【０１１６】
そこで、本実施形態のシール貼付工程（ステップＳ１１６）においては、図１２および図１３に示す遊技盤の加工位置案内具（以下、単に「ガイド」とも称す）６０７を用いて本識別コードシール６０８を貼付するようにしている。以下、このガイド６０７について説明する。なお、図１２および図１３におけるガイド６０７の方向は、装飾板６０３に取り付けられた状態で正面側から視た場合の方向と概ね一致しており、以下の記述においても、装飾板６０３に取り付けられた状態での方向をもって記述する。
【０１１７】
上記ガイド６０７は、図１２および図１３に示すように、前後方向の寸法（奥行）と上下方向の寸法（高さ）とがほぼ同程度であってこれよりも左右方向の寸法（幅）が大きく、全体として左右方向にやや長い直方体において、上面を覆う上壁６０７Ｔと、右側面を覆う右側壁６０７Ｒと、前面を覆う前側壁６０７Ｆと、背面を覆う後側壁６０７Ｂとが連続的に形成され、下面と左側面とが開放された概略箱状の外形となるように黒色の樹脂を成形してなる中空の樹脂成形体となっている。上記ガイド６０７における内部空間の奥行、即ち前側壁６０７Ｆの内面と後側壁６０７Ｂの内面との間隔は、約１９〜２０ｍｍ程度で、装飾板６０３の厚さより僅かに大となっている。また、上壁６０７Ｔ、右側壁６０７Ｒ、前側壁６０７Ｆおよび後側壁６０７Ｂのそれぞれの肉厚は約２〜３ｍｍ程度となっている。
【０１１８】
上記ガイド６０７における上面と右側面とが交叉して形成される稜角部は丸く角落ちするように成形され、当該稜角部の内側に形成される稜部は丸く湾曲面状に形成されている。
【０１１９】
上記ガイド６０７における上壁６０７Ｔの左端縁からは、肉厚約６ｍｍ程度、延出高さ約７ｍｍ程度でガイド６０７の前面から背面まで延びる、中実の突壁状の第１ツマミ６０７Ｐが上方へ垂直に延出し、右側壁６０７Ｒの下端縁からは、上記第１ツマミ６０７Ｐとほぼ同様の寸法および形状を有する中実の突壁状の第２ツマミ６０７Ｈが右方へ水平に延出している。上記第１ツマミ６０７Ｐおよび第２ツマミ６０７Ｈにおいて、先端部に形成される各稜角部、即ち縦断面において出隅部となる各稜角部はそれぞれ丸く角落ちするように成形され、基端部に形成される各稜部、即ち縦断面において入隅部となる各稜部はそれぞれ丸く湾曲面状に形成されている。
【０１２０】
上記前側壁６０７Ｆは、右側壁６０７Ｒの下端よりも約９ｍｍ程度下方へ長く延出し、右下および左下の出隅部はそれぞれ丸く角落ちするように成形され、第２ツマミ６０７Ｈの下面と交わる入隅部は丸く弧状に形成されている。一方、上記後側壁６０７Ｂの下端の位置は右側壁６０７Ｒの下端の位置と等しく、したがって即ち後側壁６０７Ｂの下端面と第２ツマミ６０７Ｈの下面とが面一となっている。後側壁６０７Ｂにおける左下の出隅部は丸く角落ちするように成形されている。
【０１２１】
上記前側壁６０７Ｆの中央には、厚さ方向に貫通する窓部６０７Ｓが穿設されている。該窓部６０７Ｓは、垂直に下方を指示する矢印状の形状を有し、下端の矢部（三角状部）の最大幅は約１１ｍｍ程度、該矢部から上方に延びる軸部の幅は約５ｍｍ程度、長さ（上下方向の全長）は約１４ｍｍ程度となっており、前側壁６０７Ｆの中央からやや下方寄りにずれるように形成されている。
【０１２２】
上記ガイド６０７は、図１４に示すように、ルータ加工後の装飾板６０３において、読取不可と判定された本識別コード６０６が刻印されていた、右上コーナ部（第２のコーナー部）に嵌着する。
【０１２３】
装飾板６０３の右上コーナ部（第２のコーナー部）は、図１１では図示省略しているが、実際には図１４に示すように、ルータ加工により内側へ正面視弧状に凹入するように切除されている。したがって、この弧状の凹入部の両端部（左上部および右下部）にそれぞれ出隅部が形成されているが、このうちの左上の出隅部（以下、「対象出隅部」とも称す）にガイド６０７が嵌着される。このとき、対象出隅部の上端面６０３Ｔにガイド６０７における上壁６０７Ｔの内面を、対象出隅部の右側面６０３Ｒにガイド６０７における右側壁６０７Ｒの内面を、それぞれ当接させるようにして、ガイド６０７を、内部に対象出隅部を挟み込むように嵌着する。このとき、前述の通り、ガイド６０７における内部空間の奥行、即ち前側壁６０７Ｆの内面と後側壁６０７Ｂの内面との間隔は装飾板６０３の厚さより僅かに大となっているので、ガイド６０７の内面と装飾板６０３の表裏面との間には僅かに余裕が存在するようになっており、したがってガイド６０７を装飾板６０３の対象出隅部にスムーズに着脱することができ、また装飾板６０３の表裏面を傷つけることも少ないようになっている。他方、ガイド６０７の内面と装飾板６０３の表裏面との間に形成される余裕は、ガイド６０７が前後に実質的にガタつくことがない程度の最小限の余裕となっており、したがってガイド６０７が安定して確実に嵌着されるようになっている。
【０１２４】
このように、ガイド６０７は、対象出隅部に嵌着することにより、装飾板６０３に対してシールの貼付位置を案内することが可能な案内体勢となり、この案内体勢において、上壁６０７Ｔの内面が、装飾板６０３の上面に対向する第１対向部となっており、右側壁６０７Ｒの内面が、装飾板６０３の右側面に対向する第２対向部となっている。即ち、第１対向部である上壁６０７Ｔの内面を装飾板６０３における対象出隅部の上端面６０３Ｔに当接させることにより、ガイド６０７の上下位置が案内体勢における上下位置に合致し、第２対向部である右側壁６０７Ｒの内面を装飾板６０３における対象出隅部の右側面６０３Ｒに当接させることにより、ガイド６０７の左右位置が案内体勢における左右位置に合致し、これによってガイド６０７を案内体勢となるように位置合わせすることができる。
【０１２５】
またこのとき、ガイド６０７は、両手で扱っても、あるいは左手で扱っても右手で扱ってもよく、またその持ち方等も任意であるが、例えば、図１４に仮想線で示すように、２本の手指Ｆ１、Ｆ２をそれぞれ第１ツマミ６０７Ｐおよび第２ツマミ６０７Ｈに内側から掛けるようにして片手でガイド６０７を保持するようにすると、ガイド６０７を容易に案内体勢に保持することができる。このとき、図１４に矢印Ａ１１で示すように、おおよそ装飾板６０３の中央方向に向けて左下方向に力をかけるようにすると、ガイド６０７に下方向への力も左方向への力も同時にかけることができるので、ガイド６０７を上下方向においても左右方向においても容易かつ確実に案内体勢に保持することができる。ここで、この左下方向Ａ１１の力の分力となる左方向への力および下方向への力をガイド６０７にかける上で、第１ツマミ６０７Ｐおよび第２ツマミ６０７Ｈが特に有用となっている。即ち、第１の手指Ｆ１で第１ツマミ６０７Ｐを左方向に、第２の手指Ｆ２で第２ツマミ６０７Ｈを下方向にそれぞれ押圧することにより、左下方向Ａ１１の力を容易にガイド６０７にかけることができるようになっている。さらに、第１ツマミ６０７Ｐおよび第２ツマミ６０７Ｈが、ガイド６０７における上壁６０７Ｔの左端および右側壁６０７Ｒの下端にそれぞれ配設され、したがって左方向に力を加える点と下左方向に力を加える点とが互いに最も離れた両端部に位置するようになっているので、ガイド６０７に上述のような力をより容易に、かつ安定してかけることができるようになっている。
【０１２６】
上述のようにして案内体勢としたガイド６０７における前側壁６０７Ｆの下端面６０７Ｇは、図１４に矩形状の仮想線で示すシール貼付位置６０３Ｓの上端縁に沿って位置するように設定されている。即ち、ガイド６０７における前側壁６０７Ｆの下端面６０７Ｇが、装飾板６０３に対してシール貼付位置６０３Ｓを案内することが可能な案内体勢とされたときに、当該シール貼付位置６０３Ｓの上端縁に沿って位置する、上端位置案内部となっている。一方、案内体勢としたガイド６０７における前側壁６０７Ｆの左側端面６０７Ｌは、シール貼付位置６０３Ｓの左側端縁の延長線上に位置するように設定されている。即ち、ガイド６０７における前側壁６０７Ｆの左側端面６０７Ｌが、装飾板６０３に対してシール貼付位置６０３Ｓを案内することが可能な案内体勢とされたときに、当該シール貼付位置６０３Ｓの左側端縁の延長線に沿って位置する、左端位置案内部となっている。
【０１２７】
このとき、ガイド６０７の前側壁６０７Ｆには、前述の通り、垂直に下方を指示する矢印状の形状を有する窓部６０７Ｓが形成されているので、該窓部６０７Ｓの矢印形状により、その下方にシール貼付位置６０３Ｓがあることが教示される。即ち、該窓部６０７Ｓの矢印形状が、シール貼付位置６０３Ｓがある方向を指示する案内として機能するようになっている。また、第１ツマミ６０７Ｐの左側面が、ガイド６０７における前側壁６０７Ｆの左側端面６０７Ｌと面一となるように形成されているので、左端位置案内部の位置がより強調される形状となっている。即ち、第１ツマミ６０７Ｐの左側面が、シール貼付位置６０３Ｓの左端位置に沿った基準線の一部を形成している。
【０１２８】
上述のようにガイド６０７を案内体勢に保持しながら、図１５に示すように、シール貼付位置６０３Ｓに本識別コードシール６０８を貼付する。このとき、上端位置案内部である、ガイド６０７における前側壁６０７Ｆの下端面６０７Ｇに、本識別コードシール６０８の上端縁を合わせ、左端位置案内部である、ガイド６０７における前側壁６０７Ｆの左側端面６０７Ｌに、本識別コードシール６０８の左端の位置を合わせるようにする。このとき、ガイド６０７を一方の手（左手または右手）で案内体勢に保持しつつ、他方の手（右手または左手）で本識別コードシール６０８をシール貼付位置６０３Ｓに貼付する。こうして、シール貼付位置６０３Ｓに本識別コードシール６０８を手作業により容易かつ正確に貼付することができる。
【０１２９】
このとき、ガイド６０７における前側壁６０７Ｆの内面と装飾板６０３の表面との間には前述の通り余裕が存在するので、この間に本識別コードシール６０８の上端部が多少とも誤って入り込み、その結果、本識別コードシール６０８がシール貼付位置６０３Ｓよりも多少とも上方にズレてしまうこともあり得る。この場合、ガイド６０７の前側壁６０７Ｆは不透明の黒色樹脂よりなるため、この裏側に本識別コードシール６０８の上端部が入り込んだとしても、前方からは隠れていて視認されず、したがってズレの程度が小さい場合にはそのまま認識されずに看過されてしまうことともなりやすい。しかしながら、本識別コードシール６０８の位置が多少ずれたとしても、読取装置による読み取りは可能、即ち読取装置による読取可能範囲は多少の余裕をもって大きめに設定されているので、あまり問題はない。
【０１３０】
これに対し、例えば図１６に示すように、本識別コードシール６０８が読取可能範囲を超える程度に大きく上方にズレてしまうと、読取装置による読み取りが不可能なエラーとなってしまう。そこで、上記ガイド６０７においては、上述のように読取可能範囲を超えて上方にズレた場合の本識別コードシール６０８の上端部にかかるような位置、即ちガイド６０７における前側壁６０７Ｆの下端面６０７Ｇから所定距離Ｄ１１をおいた位置に、窓部６０７Ｓが形成されている。窓部６０７Ｓは、ガイド６０７における前側壁６０７Ｆを厚さ方向に貫通する窓部となっているので、図１６に示すように、読取可能範囲を超えて上方にズレた本識別コードシール６０８の上端部が、該窓部６０７Ｓを通して外部から視認され、これにより、次の工程に移行する前に本識別コードシール６０８の位置を修正してエラーを回避することができる。即ち、窓部６０７Ｓが、本識別コードシール６０８が読取可能範囲を超えて上方にズレた体勢となっていることを目視により確認することを可能とする覗き窓としても機能するようになっている。ここで、上記ガイド６０７における前側壁６０７Ｆの下端面６０７Ｇから窓部６０７Ｓまでの距離Ｄ１１は、５ｍｍに設定されている。即ち、本識別コードシール６０８がシール貼付位置６０３Ｓより５ｍｍを超えて上方にズレると読み取りが不可能なエラーとなるため、このように５ｍｍを超えて上方にズレた本識別コードシール６０８の上端部を視認可能とする位置に窓部６０７Ｓが形成されている。
【０１３１】
上述のように本識別コードシール６０８をシール貼付位置６０３Ｓに貼付した後、ガイド６０７を装飾板６０３から取り外して取り除き、次いで、図１０に示すように、ステップＳ１０７の釘打工程をあらためて行う。
【０１３２】
＜ＩＩＩ．遊技盤製造ラインＢ＞
本識別コードシール６０８（または、刻印本識別コード６０６に異常がなかった場合には、刻印本識別コード６０６）の本コード情報を正しく読み取って釘打ちを完了したら、装飾板６０３は、第１の遊技盤製造ラインＡから第２の遊技盤製造ラインＢに移送され、まずステップＳ１０９の前面部品取付工程が行われる。前面部品取付工程においては、釘打工程の場合と同様に、製造ラインのボス２本に、前記位置決め用の孔を嵌着して位置決めをし、次いで、センターフレーム４３等の前面側の遊技部品を、ルータ加工により穿設された開口部（貫通孔）に手作業により嵌入する。この後、本識別コードシール６０８（または刻印本識別コード６０６）の遊技盤種別情報に基づいてネジ止めにより固定する。
【０１３３】
このとき、前面側の遊技部品を開口部（貫通孔）に手作業により嵌入した後、ネジ止めにより固定する前に、釘打工程の場合と同様に、本識別コードシール６０８（または刻印本識別コード６０６）の情報が所定の読取装置により読み取られる（ステップＳ１０８）。
【０１３４】
ここで、ステップＳ１０８の読み取りの結果、本識別コードシール６０８（または刻印本識別コード６０６）の遊技盤種別情報が正しく読み取られて前面部品の取付が適正に行われた場合には、ステップＳ１１０の裏面部品取付工程に移行する。
【０１３５】
一方、ステップＳ１０８の読み取りの結果、本識別コードシール６０８（または刻印本識別コード６０６）の遊技盤種別情報が正しく読み取られない場合には、例えばステップＳ１０８の読み取りの前に前面側の遊技部品を開口部（貫通孔）に手作業により嵌入する工程で傷がつく等の原因により、本識別コードシール６０８（または刻印本識別コード６０６）に何らかの異常が生じていると判断され、所定の警告報知（ステップＳ１１７）を行うとともに、生産ラインを停止させ（ステップＳ１１８）、ステップＳ１１９のシール貼付工程に移行する。ステップＳ１１９のシール貼付工程においては、前述のステップＳ１１６のシール貼付工程と同様の工程（説明は省略）により、異常があるとされた刻印本識別コード６０６の上に重ねるようにして、あるいは異常があるとされた本識別コードシール６０８と貼り替えるようにして、別に調製した新たな本識別コードシール６０８を貼付し、次いでステップＳ１０９の前面部品取付工程をあらためて行う。なお、ステップＳ１０８の読み取りによって異常と判断されたのが刻印本識別コード６０６ではなく本識別コードシール６０８の場合には、この上に重ねるようにして新たな本識別コードシール６０８を貼付すると、この新たな本識別コードシール６０８を剥がして別の装飾板６０３に貼付することによって同一の本コード情報を有する別の装飾板６０３を調製するという不正行為がなされる虞がある。したがってこの場合には、異常があるとされた本識別コードシール６０８の上に重ねるようにして新たな本識別コードシール６０８を貼付するのではなく、上述のように新たな本識別コードシール６０８に貼り替えるようにすることが望ましい。
【０１３６】
本識別コードシール６０８（または刻印本識別コード６０６）の本コード情報を正しく読み取って前面部品の取付を完了したら、第２の遊技盤製造ラインＢで引き続き、ステップＳ１１０の裏面部品取付工程が行われる。裏面部品取付工程においては、装飾板６０３を裏返し、主基板ボックス等を含む裏面側の遊技部品を、手作業により配置してネジ止めにより固定する。これにより、遊技盤３０が完成する。
【０１３７】
＜ＩＶ．遊技盤装着ライン＞
上記遊技盤３０は、遊技盤装着ラインに送られ、ステップＳ１１１の遊技盤装着工程が行われる。遊技盤装着工程においては、内枠１２に対し遊技盤３０を手作業により装着する。
【０１３８】
このとき、本識別コードシール６０８（または刻印本識別コード６０６）の主基板対応情報と主基板ボックスの主基板シール番号とを目視照合する。また、本識別コードシール６０８（または刻印本識別コード６０６）の内枠対応情報と内枠１２の証紙色および証紙番号とを目視照合する。
【０１３９】
以下、本実施形態に係るセルシート６０１についてさらに説明する。
【０１４０】
セルシート６０１は、図１７に模式的に示すように、板材６００に対向する内側から、紙層６１１、アルミニウム層６１２および外側層６１３がこの順に形成された積層構造を有するものとなっている。
【０１４１】
外側層６１３は、それ自体がさらに積層構造を有するものとなっている。即ち、内側すなわちアルミニウム層６１２側から、レンズ層６１４、接着層６１５、印刷層６１６および表面樹脂層６１７がこの順に形成されている。
【０１４２】
レンズ層６１４は、ＰＥＴ（ポリエチレンテレフタレート）樹脂よりなる透明性ないし半透明性を有するフィルムで構成され、レンズ的に機能して装飾をより美麗に見えるようにするものである。接着層６１５は、ウレタン系樹脂よりなる透明性ないし半透明性を有する接着剤（糊）で構成されている。印刷層６１６は、感光性樹脂よりなる透明性ないし半透明性を有するインクを用いて、オフセット印刷、シルクスクリーン印刷等により表面樹脂層６１７の内側面に形成され、これにより所定の絵柄が印刷される。表面樹脂層６１７は、ＣＡＢ（セルロース・アセテート・ブチレート）樹脂よりなる透明性ないし半透明性を有する層となっている。ＣＡＢ樹脂よりなる層は、透明性や光沢性、着色性に優れる、切削加工性に優れてバリが生じ難い、等の特性を有する。なお、半透明性とは、例えば、向こう側の様態が僅かに透過して視認し得る程度の透明性を含意する。
【０１４３】
紙層６１１は、上質紙、コート紙等の紙よりなる層となっている。アルミニウム層６１２は、レンズ層６１４の内側面にアルミニウムを蒸着することにより形成されており、このアルミニウム層６１２を形成したレンズ層６１４が、紙層６１１の外側面に糊付けにより接着されている（この接着層の説明および図示は省略）。
【０１４４】
上記セルシート６０１の積層構造によれば、アルミニウム層６１２が鏡面状となって光を前方へ反射し、これによりセルシート６０１の外観がよりきらびやかで派手となり、印刷層６１６の絵柄も強調されることとなって、優れた装飾効果が得られるようになっている。
【０１４５】
また、上記表面樹脂層６１７を構成するＣＡＢ（セルロース・アセテート・ブチレート）樹脂は耐熱性が低く熱により変形しやすいが、上記セルシート６０１の積層構造によれば、耐熱性に優れるＰＥＴ樹脂製のレンズ層６１４にアルミニウム層６１２を蒸着により形成した後、これを接着層６１５により表面樹脂層６１７（および印刷層６１６）と接着するようにしているので、アルミニウム層６１２の形成工程における熱による表面樹脂層６１７への影響を回避することができる。
【０１４６】
ところが、上記セルシート６０１を調製した後に、前述の通りステップＳ１０４の刻印工程で本識別コード６０６をレーザ刻印すると、レーザによる熱によってアルミニウム層６１２が高温化し、これにより表面樹脂層６１７が影響を受けることが避けられない。表面樹脂層６１７が熱を受けると、外側へ膨出するように変形し、これより内側の、耐熱性を有するレンズ層６１４等から剥離してその間に空気層が生じたりすることともなる。このように表面樹脂層６１７が変形すると、本識別コード６０６が正しく刻印されず、その読取が困難となる不具合が生じやすい。
【０１４７】
そこで、本パチンコ機１０においては、図１７に摸式的に示すように、上記セルシート６０１においてレーザ刻印（高温処理）による熱を受ける領域に、外側層６１３を貫通して該外側層６１３の外側面からアルミニウム層６１２の外側面まで延びる通気孔６１８を穿設するようにしている。この構成により、レーザ刻印（高温処理）によりアルミニウム層６１２が熱を持っても、この熱が通気孔６１８を通して外部に逃げることができ、これによりアルミニウム層６１２の高温化が抑制されて表面樹脂層６１７の変形も抑制される。
【０１４８】
本識別コード（刻印本識別コード）６０６を構成するＱＲコードは、図１８にもあらためて拡大して示すようなものであるが、方形状のドット（セル）を縦横に配列するように印字して構成される二次元コードであり、本実施形態では縦２５ドット、横２５ドットが配列されて構成されたものとなっている。１ドットの寸法は０．８ｍｍ×０．８ｍｍであり、したがってＱＲコード全体の寸法は２０ｍｍ×２０ｍｍとなっている。通気孔６１８は、ＱＲコード１ドットの１辺の約１／４に相当する約０．２ｍｍの孔径を有し（したがってその開口面積約０．０３１４ｍｍ２はＱＲコード１ドットの面積０．６４ｍｍ２の約１／２０）、図１８に示すように、ＱＲコード（刻印本識別コード６０６）を上下左右に余裕をもって内包するように、該ＱＲコードよりもやや大きい縦Ｈ１１×横Ｗ１１（Ｈ１１＞２０ｍｍ、Ｗ１１＞２０ｍｍ）の矩形状の領域内の一面に、縦横にそれぞれ等間隔ｄ１２＝３ｍｍをおいて格子点をなすように配置形成されている。なお、図１８において、通気孔６１８間の間隔ｄ１２は、ＱＲコード（刻印本識別コード６０６）の寸法に対してほぼ実際の寸法比の通りに図示しているが、各通気孔６１８の寸法（孔径）は、明瞭化のため、ＱＲコード（刻印本識別コード６０６）の寸法に対して実際よりも大幅に拡大して図示している（換言すれば、各通気孔６１８の実寸は、上述の通りＱＲコードの１ドットの実寸よりも大幅に小さく、したがって実際の大小関係に反しないように図示するとすれば、図においてもＱＲコードの１ドットよりも細小となるように図示されるべきものである）。
【０１４９】
通気孔６１８の開口面積は、ＱＲコード１ドットの面積の１／３以下、より好ましくは１／１０以下であることが望ましい。通気孔６１８の開口面積がＱＲコード１ドットの面積の１／３より大となると、ＱＲコードのドットの位置に重なって穿設された通気孔６１８が当該ドットの読取りを阻害する虞がある。なお、レーザ刻印の精度がより高いレベルで確保できて通気孔６１８の周囲に十分にドットを刻印することが可能な場合には、通気孔６１８の開口面積を上記範囲よりも大きく設定することも可能である。一方、通気孔６１８の開口面積は、ＱＲコード１ドットの面積の１／１００以上、より好ましくは１／３０以上であることが望ましい。通気孔６１８の開口面積がＱＲコード１ドットの面積の１／１００より小となると、通気性が不十分となってアルミニウム層６１２の熱を十分に逃すことができなくなる虞がある。
【０１５０】
通気孔６１８間の間隔（ｄ１２）は、ＱＲコード１ドットの寸法（０．８ｍｍ）の０．５倍よりも大、より好ましくはＱＲコード１ドットの寸法の１倍以上であることが望ましい。通気孔６１８間の間隔がＱＲコード１ドットの寸法と同等またはこれよりも小となると、１ドット内に２以上の通気孔６１８が位置することがあり、このような場合には当該ドットの読取りが阻害される虞がある。一方、通気孔６１８間の間隔（ｄ１２）は、本実施形態ではＱＲコード１ドットの寸法０．８ｍｍの３．７５倍に相当する３ｍｍに設定されているが、ＱＲコード１ドットの寸法の８倍以下、より好ましくは４倍以下であることが望ましい。通気孔６１８間の間隔がＱＲコード１ドットの寸法の８倍よりも大となると、通気性が不十分となってアルミニウム層６１２の熱を十分に逃すことができなくなる虞がある。
【０１５１】
通気孔６１８は、例えば図１９に示すように、セルシート６０１に対して外側に平行に配置される平板状の基材６１９Ｓの内側面（セルシート６０１に対向する面）において、各通気孔６１８に対応する格子点状（間隔ｄ１２＝３ｍｍ）の位置にそれぞれ針６１９Ｐがセルシート６０１に向けて突設された構成を有する穿孔治具６１９を、図１９に矢印Ａ１２示すように、セルシート６０１の外側面（表面樹脂層６１７形成側面）に外側から圧し付けていき、針６１９Ｐの先端をセルシート６０１に所定深さまで突き刺すことにより穿設することができる。
【０１５２】
このとき、図１９に示すように、針６１９Ｐの先端がちょうどアルミニウム層６１２の表面に到達する位置で穿孔治具６１９を止めるようにして（したがって針６１９Ｐがアルミニウム層６１２の表面に接するが表面から陥入はしないようにして）通気孔６１８を穿設する穿孔方法（以下、「非貫通式穿孔方法」とも称す）としても、あるいは、例えば図２０に示すように、針６１９Ｐを少なくともアルミニウム層６１２を（もしくは紙層６１１も含めて、即ちセルシート６０１の全体を）貫通させるようにして通気孔６１８を穿設する穿孔方法（以下、「貫通式穿孔方法」とも称す）としてもよい。
【０１５３】
針６１９Ｐをアルミニウム層６１２に陥入させない上記非貫通式穿孔方法によれば、針６１９Ｐを突き刺す深さを最小限（即ち外側層６１３のみ）とするので、針６１９Ｐを引き抜くときに外側層６１３が引っ張られる力が比較的に小さく、通気孔６１８の周縁がセルシート６０１の外側面から出っ張ることが抑制され、したがってこのような出っ張りの形成による読取りエラーを防止することができる。一方、針６１９Ｐをアルミニウム層６１２を貫通させる上記貫通式穿孔方法によれば、例えば針６１９Ｐの先端をちょうどアルミニウム層６１２の表面に到達する位置で止めた場合に、該針６１９Ｐの先端がアルミニウム層６１２の表面を多少とも押圧することによりアルミニウム層６１２がレンズ層６１４から剥離し、その結果外側層６１３が外側へ膨張しやすくなる、といった不具合が防止され、これにより、外側層６１３がアルミニウム層６１２に付着した状態に確実に保持されて該外側層６１３の変形が抑止され、したがって読取りエラーを防止することができる。
【０１５４】
（作用）
本パチンコ機１０は、ＣＡＢ樹脂よりなる樹脂含有層すなわち表面樹脂層６１７を含んで構成される外側層６１３と、該外側層６１３の内側に配置された金属含有層すなわちアルミニウム層６１２とを有するセルシート６０１を備え、該セルシート６０１の右上コーナ部（第２のコーナー部）近傍に高温処理としてレーザ刻印が施される構成において、上記セルシート６０１において高温処理が施される領域すなわち右上コーナ部（第２のコーナー部）近傍に、上記外側層６１３を貫通して該外側層６１３の外側面から上記アルミニウム層６１２の外側面まで延びる通気孔６１８が穿設された構成となっている。
【０１５５】
上記構成によれば、高温処理すなわちレーザ刻印によりアルミニウム層６１２が熱を持っても、この熱が通気孔６１８を通して外部に逃げることができ、これによりアルミニウム層６１２の高温化が抑制されて表面樹脂層６１７の変形も抑制されるようになっている。これにより、レーザによる本識別コード６０６の刻印も正しく行うことができ、本識別コード６０６の読取が困難となる不具合も生じ難くなっている。
【０１５６】
また、上記高温処理が、ドットを縦横に配列して構成される二次元コードであるＱＲコードをレーザにより刻印する処理であり、上記通気孔６１８の開口面積が、上記ＱＲコード１ドットの面積の１／３以下である約１／２０となっているので、該通気孔６１８がドットの位置に重なって穿設されたとしても当該ドットの読取りを阻害し難い。
【０１５７】
また一方、上記通気孔６１８の開口面積が、上記ＱＲコード１ドットの面積の１／１００より大である約１／２０となっているので、通気性が十分に確保されてアルミニウム層６１２の熱を十分に逃すことができるようになっている。
【０１５８】
また、上記通気孔６１８間の間隔（ｄ１２）が、ＱＲコード１ドットの寸法０．８ｍｍよりも大きい３ｍｍとなっているので、１ドット内に２以上の通気孔６１８が位置して当該ドットの読取りが阻害されるといったことがないようになっている。
【０１５９】
また一方、上記通気孔６１８間の間隔（ｄ１２）が、ＱＲコード１ドットの寸法０．８ｍｍの８倍以下である３．７５倍に相当する３ｍｍとなっているので、通気性が十分に確保されてアルミニウム層６１２の熱を十分に逃すことができるようになっている。
【０１６０】
また、上記通気孔６１８が、針６１９Ｐの先端をセルシート６０１に所定深さまで突き刺すことにより穿設されており、このとき、該針６１９Ｐの先端をちょうどアルミニウム層６１２の表面に到達する位置で止めるようにしてアルミニウム層６１２に陥入させない非貫通式穿孔方法によれば、針６１９Ｐを突き刺す深さを最小限（即ち外側層６１３のみ）とするので、針６１９Ｐを引き抜くときに外側層６１３が引っ張られる力が比較的に小さく、通気孔６１８の周縁がセルシート６０１の外側面から出っ張ることが抑制され、したがってこのような出っ張りの形成による読取りエラーを防止することができる。
【０１６１】
一方、該針６１９Ｐを少なくともアルミニウム層６１２を貫通させる貫通式穿孔方法によれば、例えば針６１９Ｐの先端をちょうどアルミニウム層６１２の表面に到達する位置で止めた場合に、該針６１９Ｐの先端がアルミニウム層６１２の表面を多少とも押圧することによりアルミニウム層６１２がレンズ層６１４（外側層６１３）から剥離し、その結果外側層６１３が外側へ膨張しやすくなる、といった不具合が防止され、これにより、外側層６１３がアルミニウム層６１２に付着した状態に確実に保持されて該外側層６１３の変形が抑止され、したがって読取りエラーを防止することができる。
【０１６２】
また、本実施形態に係る遊技盤の加工位置案内具であるガイド６０７は、パチンコ機１０の遊技領域を前面によって形成する遊技板すなわち装飾板６０３にセンターフレーム４３等の遊技部品を装着してなる遊技盤３０の作製工程において、該装飾板６０３に施される加工すなわち本識別コードシール６０８の貼付の位置を案内することが可能な構成において、上記装飾板６０３に対して上記本識別コードシール６０８の貼付位置を案内することが可能な案内体勢とされたときに、当該本識別コードシール６０８の貼付位置に沿って位置する案内部として前側壁６０７Ｆの下端面６０７Ｇおよび左側端面６０７Ｌと、上記案内体勢において上記装飾板６０３の上面に対向する第１対向部として上壁６０７Ｔの内面と、上記案内体勢において上記装飾板６０３の一方の側面すなわち右側面に対向する第２対向部として右側壁６０７Ｒの内面と、上記案内体勢において上記装飾板６０３の上辺に対し外方へ向けて突出する第１把手部として第１ツマミ６０７Ｐと、上記案内体勢において前記装飾板６０３の一方の側辺すなわち右側辺に対し外方へ向けて突出する第２把手部として第２ツマミ６０７Ｈと、を備える構成となっている。
【０１６３】
上記構成によれば、上壁６０７Ｔの内面および右側壁６０７Ｒの内面を装飾板６０３の上面および右側面にそれぞれ対向させることでガイド６０７を装飾板６０３に対して正確かつ容易に所定の案内体勢とすることができる。このとき、第１ツマミ６０７Ｐおよび第２ツマミ６０７Ｈを把持することにより、容易かつ確実にガイド６０７を所定の案内体勢にセットし保持することができる。こうしてガイド６０７を案内体勢とした状態で、前側壁６０７Ｆの下端面６０７Ｇおよび左側端面６０７Ｌに沿って本識別コードシール６０８を貼付することで、装飾板６０３に対して正確な位置に容易に本識別コードシール６０８を貼付することができる。
【０１６４】
また、上記案内部が、装飾板６０３に対してシール貼付位置６０３Ｓを案内することが可能な案内体勢とされたときに当該シール貼付位置６０３Ｓの上端縁に沿って位置する上端位置案内部として前側壁６０７Ｆの下端面６０７Ｇおよび当該シール貼付位置６０３Ｓの左側端縁の延長線に沿って位置する左端位置案内部として前側壁６０７Ｆの左側端面６０７Ｌを有するので、本識別コードシール６０８の上端縁および左側端縁を前側壁６０７Ｆの下端面６０７Ｇおよび左側端面６０７Ｌの位置にそれぞれ合わせることでその上下位置および左右位置を容易かつ正確に合わせることができる。
【０１６５】
また、上記第１対向部および第２対向部が、上記装飾板６０３の出隅部に対応する折曲形状をなして横方向および縦方向にそれぞれ延びる上壁６０７Ｔおよび右側壁６０７Ｒの内面となっており、上記上壁６０７Ｔおよび右側壁６０７Ｒにおいて折曲部から遠い側の両端部すなわち上壁６０７Ｔの左端部および右側壁６０７Ｒの下端部に、それぞれ外方へ向けて突出するように第１ツマミ６０７Ｐおよび第２ツマミ６０７Ｈが配設されているので、装飾板６０３に対するガイド６０７の位置決めがより安定し、本識別コードシール６０８の貼付位置をより容易かつ正確に案内することができる。
【０１６６】
また、上記第１把手部および第２把手部のうちの一方である第１ツマミ６０７Ｐが、シール貼付位置６０３Ｓの左右位置の基準となる基準線の一部を形成しているので、該第１ツマミ６０７Ｐの体勢によってガイド６０７の位置決めが正確になされているか否かを容易に確認することができる。またこのとき、該第１ツマミ６０７Ｐ自体が直接把持される部分であるので、ガイド６０７の体勢を調整し易い。
【０１６７】
また、案内部である前側壁６０７Ｆの下端面６０７Ｇおよび左側端面６０７Ｌを含め、ガイド６０７の全体が黒色に構成されているので、セルシート６０１の白色とコントラストをなして案内部が明瞭で見易くなっており、したがって本識別コードシール６０８の貼付位置を容易かつ正確に案内することができる。
【０１６８】
また、上記加工が、装飾板６０３にシート状の部材である本識別コードシール６０８を付加（貼付）することとなっており、上記ガイド６０７が、案内部を構成する下端面６０７Ｇおよび左側端面６０７Ｌを有する前側壁６０７Ｆを備え、該前側壁６０７Ｆにおける上端位置案内部である下端面６０７Ｇの近傍に、装飾板６０３側を視認可能とする窓部６０７Ｓが配設されているので、本識別コードシール６０８がシール貼付位置６０３より上方にずれて前側壁６０７Ｆの裏側に入り込んだ場合に、該窓部６０７Ｓを覗き窓としてこの本識別コードシール６０８がずれた状態にあることを容易に発見することができる。
【０１６９】
また、上記窓部６０７Ｓが、上端位置案内部である前側壁６０７Ｆの下端面６０７Ｇを指示する下向きの矢印状の形状となるように形成されているので、シール貼付位置６０３がある方向が明瞭に示されるようになっている。また、このシール貼付位置６０３を指示する記号としての機能と上述の覗き窓としての機能とを該窓部６０７Ｓが兼備することとなっており、したがってそのぶんガイド６０７の構成が簡潔となっている。
【０１７０】
（変更態様）
なお、上述した実施形態の記載内容に限定されず、例えば次のように実施してもよい。
【０１７１】
（ａ）上記実施形態では、本識別コード６０６の刻印工程の前段階において、仮コード情報と本コード情報を照合する照合工程を行う構成となっている。これに限らず、本識別コード６０６の刻印工程の後段階において、両識別コード６０５，６０６の内容（仮コード情報と本コード情報）を照合する照合工程を行う構成としてもよい。
【０１７２】
（ｂ）上記実施形態では、識別コードとしてＱＲコードが採用されているが、これに限らず、他の二次元コードやカラーコード、バーコード、数字、記号、マークなどを識別コードとして採用してもよい。
【０１７３】
（ｃ）上記実施形態では、本識別コード６０６をレーザー刻印する構成となっている。これに限らず、例えば本識別コード６０６をセルシート６０１に直接印刷する構成やラベルシールとして貼付する構成など、他の構成を採用してもよい。
【０１７４】
（ｄ）上記実施形態では、仮識別コード６０５をセルシート６０１に付す構成に関して特に言及していないが、かかる構成として、例えばセルシート６０１の印刷層又は樹脂表面層への仮識別コード６０５の印刷、刻印、ラベルシールの貼付などの各種公知技術を採用することができる。
【０１７５】
（ｅ）上記実施形態では、セルシート６０１の左下コーナ部近傍に仮識別コード６０５が付され、右上コーナ部近傍に本識別コード６０６が付される構成となっている。各識別コード６０５，６０６が付される箇所はこれに限定されるものではない。例えば、仮識別コード６０５に関して、ルーター加工により貫通孔が形成される部位に付されるようにしてもよい。また、本識別コード６０６に関して、比較的目立たない位置であれば、遊技領域となる部位に付されるようにしてもよい。
【０１７６】
（ｆ）遊技盤３０の製造工程は、上記実施形態の順序に限定されるものではない。従って、多少の順序の相違や、所定の工程の省略、別途の工程を設けることは、通常の遊技盤３０の製造の範疇から逸脱するものでない限り、何ら支障はない。
【０１７７】
例えば、上記実施形態では、仮識別コード６０５をセルシート６０１に付す工程や、本識別コード６０６に係る情報を管理装置に登録する工程を、図１０に示す製造工程とは別工程で行う構成となっているが、これらの工程を図１０に示す製造工程の流れに組み込んだ構成としてもよい。
【０１７８】
（ｇ）上記実施形態においては、セルシート６０１が、内側のアルミニウム層６１２と外側層６１３とが積層された構造を有するものとなっているが、セルシートとしては、内側の金属含有層と樹脂含有層を含んで構成される外側層とが積層された構造を有するものであれば任意の構成が可能である。
【０１７９】
例えば、金属含有層に含有される金属としては、アルミニウム以外にも、金、銀、銅等の各種金属や、あるいはこれらの合金を使用することができる。また、外側層としては、例えばレンズ層を含まないもの等も可能である。外側層に耐熱性を有するレンズ層が含まれていない構成であっても、樹脂含有層が変形して膨出する場合があり、この場合にもやはり、セルシートにおいて高温処理が施される領域に通気孔を穿設することによって効果的に変形を抑制することができる。
【０１８０】
上述のように耐熱性を有するレンズ層が含まれていない構成を有するものとして、例えばホログラムを用いたセルシートが挙げられる。また、樹脂含有層と金属含有層との積層構造またはこれに相当するものとして、例えば、ガラスや透明樹脂よりなる透明層に、蒸着やめっき等により金属薄膜よりなる反射層を形成したハーフミラー構造を有するセルシート等としてもよい。
【０１８１】
（ｈ）上記実施形態においては、遊技盤３０のベース（基材）となる装飾板（遊技板）６０３を構成するセルシート６０１においてレーザ刻印が施される領域に、外側層６１３を貫通して該外側層６１３の外側面からアルミニウム層６１２の外側面まで延びる通気孔６１８が穿設されているが、このように樹脂含有層を含んで構成される外側層と内側の金属含有層とを有するセルシートにおいて高温処理が施される領域に通気孔が穿設される構成は、遊技盤以外にも、例えば、遊技盤に配置されるセンターフレーム等の遊技部品や、前面枠等のように、遊技機における任意の部位に適用することができる。
【０１８２】
また、高温処理としては、加熱を伴うものであればレーザ刻印以外にも任意の処理であってもよく、例えば遊技機において前方から視認可能な部位であれば、セルシートにおいて高温処理が施される領域に通気孔を穿設することにより、当該部位が高温処理の熱で変形することによる外観上の劣化を効果的に防止することができる。
【０１８３】
しかしながら、上記実施形態におけるように、識別コードをレーザ刻印する高温処理の場合には、変形を生じると外観が損なわれるだけでなく当該識別コードの読取りが困難となることから、通気孔を穿設することにより変形を防止することが特に有用である。
【０１８４】
即ち、上記実施形態におけるように、遊技機の遊技盤を構成する装飾板の製造方法において、上記遊技機の種別を特定可能な情報を含んだ第１識別コードが付された装飾シートを板材に貼付するシート貼付工程と、上記板材に貼付された装飾シートに対し、上記遊技機の種別を特定可能な情報を含んだ第２識別コードを付すコード付け工程と、上記コード付け工程の前段階又は後段階において、上記第１識別コードの内容と前記第２識別コードの内容とを照合する照合工程とを備える場合に、上記装飾シートにおいて高温処理が施される領域に通気孔を穿設することが特に有用である。
【０１８５】
（ｉ）上記実施形態においては、遊技盤３０の作製工程において、装飾板（遊技板）６０３に本識別コードシール６０８を貼付する際に、遊技盤の加工位置案内具としてガイド６０７が用いられていたが、装飾板（遊技板）６０３に対する加工としては、上記のようなシールの貼付以外にも、例えば、シート状やフィルム状、プレート状（あるいは他の任意の形状）の部材を押しピン等の固定手段により手作業で位置決めしながら取り付ける加工や、あるいは、セルシートに上述の通気孔６１８等の孔がエラー等により穿設されていなかった場合に、工場内で手作業により孔を穿設する加工（穿孔加工）等が挙げられ、これらのような加工においても遊技盤の加工位置案内具が好適に使用できる。
【０１８６】
（ｊ）上記実施形態においては、装飾板６０３における右上の隅部に本識別コードシール６０８が貼付されているが、シールの貼付または他の加工は、右上の隅部以外にも、左上、右下および左下のうちのいずれの隅部に対しても行うことができる。この場合、左下の隅部が右上の隅部と同様の形状であるとすると、上記実施形態に係るガイド６０７を１８０°回転させた体勢で使用することができる。また、左上の隅部が右上の隅部と左右対称の形状であるとすると、上記実施形態に係るガイド６０７と左右対称に構成したガイド（図示省略）が使用でき、さらに、右下の隅部が左上の隅部と同様の形状であるとすると、当該左上の隅部用の上記ガイドを１８０°回転させた体勢で使用することができる。
【０１８７】
（ｋ）上記実施形態においては、ガイド６０７の上壁６０７Ｔおよび右側壁６０７Ｒにおいて折曲部から遠い側の両端部すなわち上壁６０７Ｔの左端部および右側壁６０７Ｒの下端部に、それぞれ第１ツマミ６０７Ｐおよび第２ツマミ６０７Ｈが配設されていたが、第１把手部および第２把手部は、上述のような両端部よりも折曲部寄りの任意の位置（例えば上壁６０７Ｔおよび右側壁６０７Ｒのそれぞれの中央部等）に配設するようにしてもよい。
【０１８８】
（ｌ）上記実施形態においては、ガイド６０７の第１ツマミ６０７Ｐおよび第２ツマミ６０７Ｈがそれぞれ１枚の突壁状の形状に成形されていたが、例えば、このような突壁状のツマミの延出端部が正面視Ｌ字形状（鉤形状）に折曲された形状や、あるいは突壁状のツマミの延出端から両側へ延出する片を形成して全体として正面視Ｔ字形状に成形されたもの等の形状も可能である。さらには、突壁状の形状以外にも、例えば円柱状、角柱状等の柱状体、瘤状、錐状等の突出体といった任意の形状の突起等としてもよく、またこのような突起を複数並置するように形成してもよい。さらにまた、第１把手部ないし第２把手部として、上述のような各種の突起以外にも、例えば、上壁ないし側壁の厚みをやや大とし、該上壁ないし側壁の厚み方向に凹入する凹入部としてもよい。この場合、該凹入部の形状としては、方形状、三角状、六角状等の多角形状、円状、楕円状、長円状、溝状、不定形状等の任意の形状が可能であり、またこのような凹入部を複数並置するように形成してもよい。
【０１８９】
（ｍ）上記実施形態においては、ガイド６０７の上端位置案内部および左端位置案内部がそれぞれ前側壁６０７Ｆの下端面６０７Ｇおよび左側端面６０７Ｌとなっていたが、案内部を構成する構造体の構成としては、このような壁体以外にも各種のものが可能であり、例えば、図２１に示すように枠状に構成したもの、図２２に示すようにコ字状に構成したもの、図２３に示すように「日」の字状に構成したもの等が挙げられる。
【０１９０】
図２１に示すガイド６２０は、上記実施形態の前側壁６０７Ｆにかえて、該前側壁６０７Ｆと同一形状（即ち左右方向にやや長い矩形状）の周縁よりやや内側が、当該周縁に沿ってほぼ同様の矩形状に開口し、全体として矩形状に成形された枠状部６２０Ｆを有する以外は、上記実施形態のガイド６０７と同様の構成となっている。
【０１９１】
本変更態様に係るガイド６２０においては、上記実施形態のガイド６０７の場合と同様に、ガイド６２０の上端位置案内部および左端位置案内部がそれぞれ枠状部６２０Ｆの下端面６２０Ｇおよび左側端面６２０Ｌとなっており、したがって上記実施形態のガイド６０７の場合と同様にしてシール貼付位置６０３Ｓを案内することができるようになっているが、枠状部６２０Ｆの内側の大部分が開口しているので、この開口部が大面積の窓部として機能し、特に覗き窓としての機能が上記実施形態における窓部６０７Ｓよりも大幅に向上した構成となっている。
【０１９２】
図２２に示すガイド６２１は、上記変更態様の枠状部６２０Ｆにかえて、該枠状部６２０Ｆの左辺部が切除されて開放された構成を有するコ字状部６２１Ｆを有する以外は、上記変更態様のガイド６２０と同様の構成となっている。
【０１９３】
本変更態様に係るガイド６２１においても、上端位置案内部および左端位置案内部がそれぞれコ字状部６２１Ｆの下端面６２１Ｇおよび左側端面６２１Ｌとなっており、したがって上記実施形態のガイド６０７の場合と同様にしてシール貼付位置６０３Ｓを案内することができるようになっている。このコ字状部６２１Ｆによれば、上記枠状部６２０Ｆの場合よりもさらに開放面積が大となっているが、上記枠状部６２０Ｆの場合よりも下辺部の強度が劣ることが避けられないため、この観点からは上記枠状部６２０Ｆの構成のほうが望ましい。
【０１９４】
図２３に示すガイド６２２は、上記図２１に示す変更態様に係るガイド６２０の構成において、全体として左方へさらに幅広に成形され、上記枠状部６２０Ｆとほぼ同様の矩形状の枠状部（上側枠状部）６２２Ｆの下方にさらに別の矩形状の枠状部（下側枠状部）６２２Ｅが連なるように形成され、全体として「日」の字状に成形された構成となっている。
【０１９５】
本変更態様に係るガイド６２２においては、下側枠状部６２２Ｅの内側に形成される矩形状の開口部が、シール貼付位置６０３Ｓよりも縦横ともにやや大きくなっており、該開口部の左上の入隅部は、これ以外の３入隅部が弧状に丸く形成されているのとは異なって、直角に形成されている。この構成においては、上記下側枠状部６２２Ｅの開口部の上端面（即ち上側枠状部６２２Ｆと下側枠状部６２２Ｅとを区画する水平片の下端面）６２２Ｇが上端位置案内部となっていてシール貼付位置６０３Ｓの上端縁がくるようになっており、一方、該開口部の左側端面（即ち下側枠状部６２２Ｅの左側片の右側端面）６２２Ｌが左端位置案内部となっていてシール貼付位置６０３Ｓの左端縁がくるようになっている。即ち、該開口部の左上の入隅部に、シールの左上の出隅部を合わせるようにして、該開口部内にシールを貼付するようにする。このとき、該開口部の寸法がシールの寸法に等しいとシールを該開口部内に入れる際に余裕がなくて入れ難いので、上述の通り該開口部の寸法はシールの寸法よりもやや大きめに設定されており、図２３に示すように、シール貼付位置６０３Ｓの右側および下側に余裕が確保されるようになっている。
【０１９６】
上記上側枠状部６２２Ｆの内側に形成される開口部は、前述の図２１に示す変更態様の枠状部６２０Ｆと同様に窓部として機能する。また一方、図２４に示すように、下側枠状部６２２Ｅの左側片、右側片および下側片の裏面には、一面にブラシを敷設することにより、均し部６２２Ｍが形成されている。セルシートには、前述したような高温処理の熱やその他の原因により表面に凹凸が形成されることがあるが、ガイド６２２に上記均し部６２２Ｍを敷設しておくことにより、シール貼付位置６０３Ｓにおいてこのような凹凸を均してセルシートの表面を均一化することができ、これにより、凹凸によってシールの貼付状態が不良となったりシールの識別コードの読取りが困難になるといった不具合を防止することができる。図２３に示すように、ガイド６２２を案内体勢とした状態では、下側枠状部６２２Ｅはシール貼付位置６０３Ｓを内包するようになっているので、装飾板６０３の対象出隅部に外側からガイド６２２を嵌着して案内体勢となる位置までもっていく途上で、シール貼付位置６０３Ｓの一面に均し部６２２Ｍを擦過させることができる。このとき、下側枠状部６２２Ｅをセルシートの表面に圧し付けるようにしながら案内体勢となる位置までもっていくようにし、さらには上下ないし左右に往復動させるようにすると、均し部６２２Ｍをセルシートの表面に十分に擦りつけて凹凸を効果的に均すことができる。なお、図２４に示す６２２Ｂはガイド６２２の後側壁である。
【０１９７】
均し部としては、上記のようにブラシを敷設して構成されたもの以外にも、例えば、下側枠状部の裏面に、断面略半円状の略半円柱状（略カマボコ状）に延びる突状を形成したもの等も可能である。また、このような均し部を設けない構成としてもよい。
【０１９８】
また、案内部としては、以上のようなもの以外にも、例えば、前面壁に、矩形状の開口を縦２列、横２列に配置形成して該前面壁を略「田」の字状に形成し（換言すれば、上述の「日」の字状の構成において中央に垂直片をさらに形成し）、これにより中央に形成される十字状の片を案内部としたものや、あるいは前面壁に十字状、鉤状（Ｌ字状）等の切り込みを形成して該切り込みを案内部としたもの等でもよい（いずれも図示省略）。これらの構成によれば、シール等のシート状部材を位置合わせする場合にはこれを前面壁とセルシートとの間に挿入するようにする必要があり、作業性の点ではやや劣るが、一方、内側が全体的に開口した枠状の構成や「日」の字状の構成等に比して、強度の点ではやや有利である。
【０１９９】
さらにまた、例えば図２５に示すように、前側壁６２４Ｆの下端面６２４Ｇを上端位置案内部とするガイド６２４において、該前側壁６２４Ｆの下端面６２４Ｇから垂直に延出する延出端縁を設け、この延出端縁を左端位置案内部ないし右端位置案内部とした構成としてもよい。図２５に示すガイド６２４は、前側壁６２４Ｆが、上記実施形態に係るガイド６０７の前側壁６０７Ｆよりも左方にさらに余分に幅が大きく形成され、この余分の幅部分が下方に延出して垂下片６２４Ｎが形成された構成となっている。該垂下片６２４Ｎの右側端縁は前側壁６２４Ｆの下端面６２４Ｇに対して垂直に、シール貼付位置６０３Ｓの左端縁に沿って延びている。即ち、該垂下片６２４Ｎの右側端縁が左端位置案内部となっている。
【０２００】
本変更態様に係るガイド６２４は、これを案内体勢とした状態で、前側壁６２４Ｆの下端面６２４Ｇおよび垂下片６２４Ｎの右側端縁にそれぞれシールの上端縁および左端縁を合わせるようにして当該シールを貼付する。即ち、本変更態様に係るガイド６２４は、前側壁６２４Ｆの下端面６２４Ｇおよび垂下片６２４Ｎの右側端縁がそれぞれ上端位置案内部および左端位置案内部となっているのであるが、これら両者があわせて、シールの左上の出隅部に対応する鉤形状の案内部を構成していると言うこともできる。
【０２０１】
本変更態様に係るガイド６２４によれば、上述の図２３に示す「日」の字状のガイド６２２の場合と同様に、シールの左上の出隅部をより容易かつ確実に合わせることができるが、シール貼付位置６０３Ｓが枠状部で包囲されず大部分が開放された構成となっているので、シールをシール貼付位置６０３Ｓにもっていく際に邪魔になる部分が少ないという利点がある。
【０２０２】
ただし、垂下片６２４Ｎのような延出部は枠状部よりも破損しやすいきらいがある。このため、本変更態様に係るガイド６２４の垂下片６２４Ｎは、必要最小限の延出長さ（数ｍｍ程度）を有する短小に成形されている。
【０２０３】
また、前側壁６２４Ｆの下端面６２４Ｇと垂下片６２４Ｎの右側端縁とで構成される入隅部は、弧状に形成されず直角状に形成されている。
【０２０４】
また、上記垂下片６２４Ｎにかえて、あるいはこれとあわせて、該垂下片６２４Ｎと左右対称に構成された垂下片を前側壁の右端部に設けるようにしてもよい。
【０２０５】
（ｎ）上記実施形態においては、ガイド６０７が黒色の樹脂よりなるものとなっていたが、ＱＲコードの周囲は通例白色となっていることから、少なくとも案内部を、白色と対照的な色で構成しておくと、案内部が明瞭となって視認しやすく、シール貼付位置６０３Ｓを明確に案内することができる。白色と対照的な色としては、黒色以外にも、例えば赤、緑、青の原色等が挙げられる。また、例えば逆に、加工位置のほうが黒、赤、緑、青等の色を有する場合には、加工位置案内具（ガイド）の少なくとも案内部のほうを白色とすることが望ましい。
【０２０６】
（ｏ）上記実施形態においては、ガイド６０７の窓部６０７Ｓが、シール貼付位置６０３Ｓの方向を指示する矢印形状を有するものとなっていたが、これ以外にも任意の形状が可能であり、例えば加工位置の方向を指示する三角形状（即ち矢印の軸部がなく矢部のみを有する形状）や、あるいは、例えば「コノシタ」、「ここより下」等のように加工位置の方向を表す文字列の形状等も挙げられる。また、例えば、案内部に沿って延びるスリット状、溝状や、あるいは、丸状、多角形状等を案内部に沿って複数並置するように形成したもの等も可能である。また、このような窓部を設けない構成としてもよい。
【０２０７】
（ｐ）上記実施形態においては、ガイド６０７が、専ら遊技盤の加工位置案内具として使用される治具となっていたが、例えば遊技機に使用される機能部品として遊技機に搭載される案内具としてもよい。より具体的には、例えばコネクタカバーの一部にガイドとして機能し得る部位を形成しておき、遊技盤の製造工程において必要な場合にガイドとして使用し、未使用の場合も含め、これ以降の段階ではコネクタカバーとして所定位置に取り付ける、といった構成が可能である。このような構成によれば、使用機会の比較的に少ない加工位置案内具（ガイド）を別に用意することを不要とすることができる。
【０２０８】
（ｑ）上記実施形態に係るガイド６０７は、例えば図２６に示すように変更を加えることもできる。図２６に示すガイド６２３は、一部の寸法ならびに第２ツマミ６２３Ｈの形成位置が異なる以外は、基本的に上記実施形態に係るガイド６０７と同様の構成となっている。このため、以下、同様の部位ないし部材については基本的に説明を省略する。
【０２０９】
本変更態様に係るガイド６２３は、図２６および図２７に示すように、第２ツマミ６２３Ｈが、右側壁６２３Ｒの上端に位置し、その上面が上壁６２３Ｔの上面と同一平面をなして連続するように形成されている。第２ツマミ６２３Ｈの寸法および形状は、上記実施形態に係るガイド６０７の第２ツマミ６０７Ｈの寸法および形状と基本的に同様であるが、右上の出隅部が丸く角落ちしない稜角となっている点で異なっている。第１ツマミ６２３Ｐは、上記実施形態に係るガイド６０７の第１ツマミ６０７Ｐと同様に、上壁６２３Ｔの左端に形成され、その形状も基本的に同様となっているが、肉厚Ｄ２１は５ｍｍで、基端部に形成される入隅部は、丸く湾曲面状に形成されずほぼ直角状の稜部となっている。
【０２１０】
第１ツマミ６２３Ｐの右側面から第２ツマミ６２３Ｈの先端までの距離Ｄ２２は２７ｍｍとなっている。上壁６２３Ｔの内面から前側壁６２３Ｆの下端面６２３Ｇまでの距離Ｄ２３は２７ｍｍで、上記第１ツマミ６２３Ｐの右側面から第２ツマミ６２３Ｈの先端までの距離Ｄ２２と同一（Ｄ２３＝Ｄ２２）となっている。前側壁６２３Ｆの左側端面６２３Ｌから右側壁６２３Ｒの内面までの距離Ｄ２４は２６ｍｍ、右側壁６２３Ｒの内面から第２ツマミ６２３Ｈの先端までの距離Ｄ２５は６ｍｍとなっている。したがって、前側壁６２３Ｆの左側端面６２３Ｌから第２ツマミ６２３Ｈの先端までの距離すなわちガイド６２３の左右方向の全幅はＤ２４＋Ｄ２５＝Ｄ２１＋Ｄ２２＝３２ｍｍとなるが、これは上記実施形態に係るガイド６０７の全幅よりも若干小さくなっている。
【０２１１】
図２８に示す、ガイド６２３における内部空間の奥行、即ち前側壁６２３Ｆの内面と後側壁６２３Ｂの内面との間隔Ｄ２６は１９ｍｍ、ガイド６２３の前後方向の厚さ、即ち前側壁６２３Ｆの外面と後側壁６２３Ｂの外面との距離Ｄ２７は２６ｍｍとなっている。
【０２１２】
本変更態様に係るガイド６２３は、上記実施形態に係るガイド６０７の場合と同様にして、装飾板６０３の対象出隅部に嵌着して案内体勢とすることができるが、このような基本的な使用態様に加えて、以下のような別の使用態様も可能となっている。
【０２１３】
上記実施形態においては、ステップＳ１０７の釘打工程の際に本識別コード６０６の遊技盤種別情報が読み取られ（ステップＳ１０６）、刻印本識別コード６０６の遊技盤種別情報が正しく読み取られない場合に、ステップＳ１０４の刻印工程で刻印本識別コード６０６が正しく刻印されていない（異常）と判断され、ステップＳ１１６のシール貼付工程で本識別コードシール６０８がシール貼付位置６０３Ｓにガイド６０７を用いて貼付されるようになっていたのであるが、例えば、ステップＳ１０５のルーター加工工程よりも前であっても、刻印本識別コード６０６の刻印の異常が発見されることがある。このような場合でも、そのままステップＳ１０５のルーター加工工程からステップＳ１０７の釘打工程を経て、ステップＳ１１６のシール貼付工程で同様にして本識別コードシール６０８が貼付される。
【０２１４】
ルーター加工工程よりも前の段階では、装飾板６０３の右上コーナ部（第２のコーナー部）がまだ正面視弧状に凹入するように切除されていないので、この状態ではガイド６０７をシール貼付位置６０３Ｓの案内が可能な案内体勢とすることはできない。
【０２１５】
そこで、本変更態様に係るガイド６２３は、このような場合にもシール貼付位置６０３Ｓの案内ができるようにした。
【０２１６】
シール貼付位置６０３Ｓの左上の隅部は、図２９に示すように、装飾板６０３の上端面６０３Ｔから下方に距離Ｄ２８、図２９に仮想線で示すようにルーター加工により形成される弧状の凹入部における左上出隅部（対象出隅部）の右側面６０３Ｒから左方に距離Ｄ２９をそれぞれおいた位置にあり、本変更態様に係るガイド６２３における上壁６２３Ｔの内面から前側壁６２３Ｆの下端面６２３Ｇまでの距離Ｄ２３ならびに前側壁６２３Ｆの左側端面６２３Ｌから右側壁６２３Ｒの内面までの距離Ｄ２４は上述のシール貼付位置６０３Ｓの上下位置および左右位置に合わせて設定されている。即ち、Ｄ２３＝Ｄ２８＝２７ｍｍ、Ｄ２４＝Ｄ２９＝２６ｍｍとなるように設定されている。したがって、ルーター加工工程よりも後の段階では、上記実施形態に係るガイド６０７の場合と同様にして、即ち基本的使用態様として、本変更態様に係るガイド６２３を、弧状の凹入部における左上の出隅部（対象出隅部）に嵌着して案内体勢とすることができる。
【０２１７】
これに対し、ルーター加工工程よりも前の段階では、シール貼付位置６０３Ｓの左端は、矩形状の装飾板６０３の右側端面からは左方に距離Ｄ３０＝７８ｍｍをおいた位置にあり、したがってガイド６２３は、基本的使用態様と同様の使用態様では対応することができない。
【０２１８】
そこで、図３０および図３１に示すように、本変更態様に係るガイド６２３を、第１ツマミ６２３Ｐの延出方向が後方、第２ツマミ６２３Ｈの延出方向が下方となるような体勢とし、第１ツマミ６２３Ｐの内側面（基本的使用態様では右側にくる面）および上壁６２３Ｔの外面を装飾板６０３の上端面６０３Ｔおよび前面にそれぞれ当接させ、即ち第１ツマミ６２３Ｐと上壁６２３Ｔとにより形成される鉤状の面を装飾板６０３の上端面６０３Ｔから前面に掛け吊るすように嵌合させるようにして、装飾板６０３の右側端から３個のガイド６２３を隙間なく並置するように配置する。これにより、左端に配置されたガイド６２３の後側壁６２３Ｂの外面が、装飾板６０３の右側端面から、ガイド６２３の厚さの３倍の距離（Ｄ２７×３＝７８ｍｍ）をおいた位置にくる。即ち、左端に配置されたガイド６２３の後側壁６２３Ｂの外面が、シール貼付位置６０３Ｓの左側端縁の延長線に沿って位置する、左端位置案内部となる。一方、前述の通り、第１ツマミ６２３Ｐの内側面から第２ツマミ６２３Ｈの先端までの距離Ｄ２２は上壁６２３Ｔの内面から前側壁６２３Ｆの下端面６２３Ｇまでの距離Ｄ２３と同一（Ｄ２２＝Ｄ２３＝２７ｍｍ）となっているので、第２ツマミ６２３Ｈの先端が、シール貼付位置６０３Ｓの上端縁に沿って位置する、上端位置案内部となる。
【０２１９】
即ち、ルーター加工工程よりも前の段階であっても、上述のように装飾板６０３の上端面６０３Ｔに右側端から３個のガイド６２３を隙間なく並置するように配置することにより、ガイド６２３をシール貼付位置６０３Ｓの案内が可能な案内体勢とすることができる。
【０２２０】
本変更態様に係るガイド６２３には、例えば、前側壁６２３Ｆの外面と後側壁６２３Ｂの外面とに、互いにスナップ式に係合し合う係合爪と係合孔とをそれぞれ配設しておき、これにより、上述のように複数のガイド６２３を並置する場合に隣接するガイド６２３同士を容易に着脱し得るようにしてもよく、これによれば複数のガイド６２３をより容易かつ確実に案内体勢に配置しあるいは保持することができる。
【０２２１】
（ｒ）上記実施形態に係るガイド６０７においては、第１対向部である上壁６０７Ｔの内面と、第２対向部である右側壁６０７Ｒの内面とが直交する入隅部を構成していたが、第１対向部と第２対向部とのなす角度および形状は、ガイドを嵌着する装飾板（遊技板）の隅部の構成に応じて適宜設定すればよく、例えば８０〜１２０°程度の角度で交差する入隅部としたり、当該入隅部を対象出隅部の形状に応じて角状、丸状（湾曲状）等の任意の形状としてもよい。
【０２２２】
（ｓ）上記実施形態とは異なるタイプの遊技盤やパチンコ機等に適用してもよい。また、パチンコ機以外にも、アレパチ、雀球等の各種遊技機として実施することも可能である。
【０２２３】
なお本明細書は、以下に記述する手段Ａ１から手段Ａ１５、手段Ｂ１から手段Ｂ１０ならびに手段Ｃ１から手段Ｄ３の発明についての内容をいずれも開示している。
【０２２４】
[手段Ａ１〜手段Ａ１５に係る発明の背景技術]
従来、パチンコ機等の遊技機は、数多くの工程を経て製造されている。例えば、パチンコ機の遊技領域を構成する遊技盤は、まずベニヤ板等の板材の表面に樹脂製の装飾シート（セルシート）を貼付して、ベース（基材）となる装飾板を製造した後、当該装飾板を所定形状に切削するルーター加工等を経て製造される。そして、ルーター加工後の装飾板に対し多数の釘を植設するとともに、表示装置や入賞装置、装飾部材等といった各種部材を取付けることにより、遊技盤が完成する。
【０２２５】
上記のような遊技盤においては、例えば、装飾シートとして、内部にアルミニウム等の金属よりなる層を形成して鏡面状とし、これにより前方からの見栄えが派手となるように構成されたものもある。
【０２２６】
一方、近年では、製造する遊技機の種別（機種）等を特定可能なバーコード等の識別コードを遊技盤の装飾シート等に対し印刷することにより、製造工程を管理している（例えば、特許文献１：特開平７−３１３６７３号公報参照）。例えば、各種部材の取付工程においては、所定の読取装置により遊技盤に付されたバーコードの内容を読み取り、当該遊技盤に対しその機種に応じた各種部材の取付作業を行う。
【０２２７】
[手段Ａ１〜手段Ａ１５に係る発明が解決しようとする課題]
さらに、識別コードとして、上記のようにバーコードを装飾シートに印刷する以外にも、ＱＲコードで構成された識別コードを装飾シートにレーザにより焼き付けることによって刻印することもなされている。
【０２２８】
ところが、上述のような内部に金属層を有する装飾シートにレーザによる焼き付けを行うと、レーザによる熱によって金属が高温化し、この影響により表面の樹脂層が変形することとなりやすい。このように表面の樹脂層が変形すると、識別コードが正しく刻印されず、その読取が困難となる不具合が生じる虞がある。
【０２２９】
本発明は、かかる問題点に鑑みて案出されたものであり、高温処理を施しても樹脂層が変形し難いセルシートを備える遊技機およびその製造方法を提供することを目的とする。
【０２３０】
[課題を解決するための手段Ａ１〜手段Ａ１５]
本発明にかかる遊技機は、上記目的を達成するために、手段Ａ１として、
樹脂を含有してなる樹脂含有層を含んで構成される外側層と、該外側層の内側に配置された金属を含有してなる金属含有層とを有するセルシートを備え、該セルシートの少なくとも一部に高温処理が施される遊技機であって、
前記セルシートにおいて高温処理が施される領域に、前記外側層を貫通して該外側層の外側面から少なくとも前記金属含有層の外側面まで延びる通気孔が穿設されていることを特徴とする。
【０２３１】
本発明において、セルシートにおける内側および外側とは、それぞれ、遊技機に配置されたときに内側および外側にくる側のことであり、換言すれば、設置状態で相対的に遊技機に近い側および遠い側のことである。したがって、例えば、セルシートが外側層および金属含有層の２層構造よりなる場合には、金属含有層が遊技機に対向する側となるように配置されるが、このとき、「金属含有層の外側面」は、遊技機に対向する面ではなく、外側層に対向する面のほうである。
あるいは、「外側面」は、「表面」と表現してもよい。
【０２３２】
また、「高温処理」は、例えばレーザによる焼き付け等のように、加熱をともなう処理を広汎に含意する。
【０２３３】
上記手段Ａ１の構成によれば、高温処理により金属含有層の金属が熱を持っても、この熱が通気孔を通して外部に逃げることができ、これにより金属含有層の高温化が抑制されて樹脂含有層の変形も抑制される。したがって、高温処理が識別コードを刻印する処理である場合にも当該識別コードの刻印を正しく行うことができ、識別コードの読取が困難となる不具合も生じ難い。
【０２３４】
また、本発明にかかる遊技機は、手段Ａ２として、手段Ａ１の遊技機において、
前記高温処理が、ドットを配列して構成される識別コードを刻印する処理であり、
前記通気孔の開口面積が、前記識別コード１ドットの面積の１／３以下であることを特徴とする。
【０２３５】
上記手段Ａ２の構成によれば、通気孔がドットの位置に重なって穿設されたとしても、当該ドットの読取りを阻害し難い。
【０２３６】
また、本発明にかかる遊技機は、手段Ａ３として、手段Ａ１または手段Ａ２の遊技機において、
前記高温処理が、ドットを配列して構成される識別コードを刻印する処理であり、
前記通気孔の開口面積が、前記識別コード１ドットの面積の１／１００より大であることを特徴とする。
【０２３７】
上記手段Ａ３の構成によれば、通気性が十分に確保されて前記金属含有層の熱を十分に逃すことができる。
【０２３８】
また、本発明にかかる遊技機は、手段Ａ４として、手段Ａ１から手段Ａ３のいずれかの遊技機において、
前記高温処理が、ドットを配列して構成される識別コードを刻印する処理であり、
前記記通気孔間の間隔が、前記識別コード１ドットの寸法よりも大きいことを特徴とする。
【０２３９】
上記手段Ａ４の構成によれば、１ドット内に２以上の通気孔が位置して当該ドットの読取りが阻害されるといったことがない。
【０２４０】
また、本発明にかかる遊技機は、手段Ａ５として、手段Ａ１から手段Ａ４のいずれかの遊技機において、
前記高温処理が、ドットを配列して構成される識別コードを刻印する処理であり、
前記通気孔間の間隔が、前記識別コード１ドットの寸法の８倍以下であることを特徴とする。
【０２４１】
上記手段Ａ５の構成によれば、通気性が十分に確保されて前記金属含有層の熱を十分に逃すことができる。
【０２４２】
また、本発明にかかる遊技機は、手段Ａ６として、手段Ａ１から手段Ａ５のいずれかの遊技機において、
前記通気孔が、針の先端を前記セルシートに所定深さまで突き刺すことにより穿設されており、このとき、前記針の先端をちょうど前記金属含有層の表面に到達する位置で止めるようにして前記通気孔が穿設されていることを特徴とする。
【０２４３】
上記手段Ａ６の構成によれば、針を突き刺す深さを最小限（即ち外側層のみ）とするので、針を引き抜くときに外側層が引っ張られる力が比較的に小さく、通気孔の周縁がセルシートの外側面から出っ張ることが抑制され、したがって、高温処理が識別コードを刻印する処理である場合にもこのような出っ張りの形成による読取りエラーを防止することができる。
【０２４４】
また、本発明にかかる遊技機は、手段Ａ７として、手段Ａ１から手段Ａ５のいずれかの遊技機において、
前記通気孔が、針の先端を前記セルシートに所定深さまで突き刺すことにより穿設されており、このとき、前記針を少なくとも前記金属含有層を貫通させるようにして前記通気孔が穿設されていることを特徴とする。
【０２４５】
上記手段Ａ７の構成によれば、例えば針の先端をちょうど金属含有層の表面に到達する位置で止めた場合に、該針の先端が金属含有層の表面を多少とも押圧することにより金属含有層が外側層から剥離し、その結果外側層が外側へ膨張しやすくなる、といった不具合が防止され、これにより、外側層が金属含有層に付着した状態に確実に保持されて該外側層の変形が抑止され、したがって、高温処理が識別コードを刻印する処理である場合にも読取りエラーを防止することができる。
【０２４６】
また、本発明にかかる遊技機の製造方法は、上記目的を達成するために、手段Ａ８として、
樹脂を含有してなる樹脂含有層を含んで構成される外側層と、該外側層の内側に配置された金属を含有してなる金属含有層とを有するセルシートの少なくとも一部に高温処理を施す遊技機の製造方法において、
前記高温処理の前に、前記セルシートにおいて当該高温処理が施される領域に、前記外側層を貫通して該外側層の外側面から少なくとも前記金属含有層の外側面まで延びる通気孔を穿設することを特徴とする。
【０２４７】
上記手段Ａ８の構成によれば、高温処理により金属含有層の金属が熱を持っても、この熱が通気孔を通して外部に逃げることができ、これにより金属含有層の高温化が抑制されて樹脂含有層の変形も抑制される。したがって、高温処理が識別コードを刻印する処理である場合にも当該識別コードの刻印を正しく行うことができ、識別コードの読取が困難となる不具合も生じ難い。
【０２４８】
また、本発明にかかる遊技機の製造方法は、手段Ａ９として、手段Ａ８の遊技機の製造方法において、
前記高温処理が、ドットを配列して構成される識別コードを刻印する処理であり、
前記通気孔の開口面積を、前記識別コード１ドットの面積の１／３以下とすることを特徴とする。
【０２４９】
上記手段Ａ９の構成によれば、通気孔をドットの位置に重なって穿設したとしても、当該ドットの読取りを阻害し難い。
【０２５０】
また、本発明にかかる遊技機の製造方法は、手段Ａ１０として、手段Ａ８または手段Ａ９の遊技機の製造方法において、
前記高温処理が、ドットを配列して構成される識別コードを刻印する処理であり、
前記通気孔の開口面積を、前記識別コード１ドットの面積の１／１００より大とすることを特徴とする。
【０２５１】
上記手段Ａ１０の構成によれば、通気性を十分に確保して前記金属含有層の熱を十分に逃すことができる。
【０２５２】
また、本発明にかかる遊技機の製造方法は、手段Ａ１１として、手段Ａ８から手段Ａ１０のいずれかの遊技機の製造方法において、
前記高温処理が、ドットを配列して構成される識別コードを刻印する処理であり、
前記記通気孔間の間隔を、前記識別コード１ドットの寸法よりも大とすることを特徴とする。
【０２５３】
上記手段Ａ１１の構成によれば、１ドット内に２以上の通気孔を穿設して当該ドットの読取りを阻害するといったことがない。
【０２５４】
また、本発明にかかる遊技機の製造方法は、手段Ａ１２として、手段Ａ８から手段Ａ１１のいずれかの遊技機の製造方法において、
前記高温処理が、ドットを配列して構成される識別コードを刻印する処理であり、
前記通気孔間の間隔を、前記識別コード１ドットの寸法の８倍以下とすることを特徴とする。
【０２５５】
上記手段Ａ１２の構成によれば、通気性を十分に確保して前記金属含有層の熱を十分に逃すことができる。
【０２５６】
また、本発明にかかる遊技機の製造方法は、手段Ａ１３として、手段Ａ１から手段Ａ１２のいずれかの遊技機の製造方法において、
前記通気孔を、針の先端を前記セルシートに所定深さまで突き刺すことにより穿設し、このとき、前記針の先端をちょうど前記金属含有層の表面に到達する位置で止めるようにして前記通気孔を穿設することを特徴とする。
【０２５７】
上記手段Ａ１３の構成によれば、針を突き刺す深さを最小限（即ち外側層のみ）とするので、針を引き抜くときに外側層が引っ張られる力が比較的に小さく、通気孔の周縁がセルシートの外側面から出っ張ることが抑制され、したがって、高温処理が識別コードを刻印する処理である場合にもこのような出っ張りの形成による読取りエラーを防止することができる。
【０２５８】
また、本発明にかかる遊技機の製造方法は、手段Ａ１４として、手段Ａ８から手段Ａ１２のいずれかの遊技機の製造方法において、
前記通気孔を、針の先端を前記セルシートに所定深さまで突き刺すことにより穿設し、このとき、前記針を少なくとも前記金属含有層を貫通させるようにして前記通気孔を穿設することを特徴とする。
【０２５９】
上記手段Ａ１４の構成によれば、例えば針の先端をちょうど金属含有層の表面に到達する位置で止めた場合に、該針の先端が金属含有層の表面を多少とも押圧することにより金属含有層が外側層から剥離し、その結果外側層が外側へ膨張しやすくなる、といった不具合を防止することができ、これにより、外側層を金属含有層に付着した状態に確実に保持して該外側層の変形を抑止でき、したがって、高温処理が識別コードを刻印する処理である場合にも読取りエラーを防止することができる。
【０２６０】
また、本発明にかかる遊技機の製造方法は、手段Ａ１５として、手段Ａ８から手段Ａ１４のいずれかの遊技機の製造方法において、
前記セルシートが、装飾シートを板材に貼付した構成を有する遊技板を基材とする遊技盤における当該装飾シートであり、
前記遊技機の種別を特定可能な情報（機種名情報）を含んだ第１識別コード（仮識別コード）が付された装飾シートを板材に貼付するシート貼付工程と、
前記板材に貼付された装飾シートに対し、前記遊技機の種別を特定可能な情報（機種名情報）を含んだ第２識別コード（本識別コード）を付すコード付け工程と、
前記コード付け工程の前段階又は後段階において、前記第１識別コードの内容と前記第２識別コードの内容とを照合する照合工程とを備えることを特徴とする。
【０２６１】
上記手段Ａ１５の構成によれば、コード付け工程において第２識別コード（本識別コード）を付す際の高温処理によって変形を生じると外観が損なわれるだけでなく当該第２識別コード（本識別コード）の読取りが困難となるので、通気孔を穿設することにより変形を防止するようにする手段Ａ８の構成が特に有用となる。
【０２６２】
また、上記手段Ａ１５の構成によれば、装飾板に対し識別コード（第２識別コード）を付すにあたり、当該識別コードの内容と、事前に装飾シートに付された仮識別コード（第１識別コード）の内容とを照合する。このため、仮にシート貼付工程における装飾シートのセットミスや、コード付け工程に係る情報の入力ミス等に起因して、装飾シートの貼り間違いや識別コードの付け間違い等が発生した場合であっても、上記照合結果に基づき警告報知を行ったり、生産ラインを停止するなど所定の処理を実行することにより、所望の機種に対応しない装飾シートや識別コードが付された装飾板が次工程に送られるといった不具合の発生を防止することができる。結果として、製造過程における管理性の向上を図ることができる。
【０２６３】
なお、予め装飾シートに対し本識別コード（第２識別コード）を付しておくことも考えられるが、かかる場合には、当該本識別コードの内容に、予め定められた機種名情報等だけしか含ませることができない。
【０２６４】
この点、本手段Ａ１５によれば、予め定められた機種名情報等のみならず、製造年月日や生産ライン等に関する情報を本識別コード（第２識別コード）の内容に含ませることができる。結果として、その後の製造過程において何らかの不具合が発生した場合において追跡調査が可能となるなど、利便性が向上する。
【０２６５】
上記のように、第１識別コードの内容と第２識別コードの内容は完全一致させる必要はない。従って、上記照合工程においては、少なくとも両識別コードに共通する機種名情報等の基本情報のみを対比し、両識別コードの内容が一致するか否かを判断すれば足りる。
【０２６６】
[手段Ｂ１〜手段Ｂ１０に係る発明の背景技術]
従来、パチンコ機等の遊技機は、数多くの工程を経て製造されている。例えば、パチンコ機の遊技領域を構成する遊技盤は、まずベニヤ板等の板材の表面に装飾シートを貼付して、ベース（基材）となる装飾板を製造した後、当該装飾板を所定形状に切削するルーター加工等を経て製造される。そして、ルーター加工後の装飾板に対し多数の釘を植設するとともに、表示装置や入賞装置、装飾部材等といった各種部材を取付けることにより、遊技盤が完成する。
【０２６７】
近年では、製造する遊技機の種別（機種）等を特定可能なバーコード等の識別コードを遊技盤の装飾シート等に対し印刷することにより、製造工程を管理している（例えば、特許文献１：特開平７−３１３６７３号公報参照）。例えば、各種部材の取付工程においては、所定の読取装置により遊技盤に付されたバーコードの内容を読み取り、当該遊技盤に対しその機種に応じた各種部材の取付作業を行う。
【０２６８】
[手段Ｂ１〜手段Ｂ１０に係る発明が解決しようとする課題]
ところが、上記のように識別コードを遊技盤の装飾シート等に対し印刷する場合に、機械の誤動作や位置ズレといった何らかの原因により、識別コードが装飾シート等に正しく印刷されないことがある。このような場合に、識別コードを印刷したシールを手作業で貼付し、これによりあらためて装飾シート等に識別コードを付すようにすることがなされている。
【０２６９】
このとき、シールを手作業で貼付する際にも、貼付位置がズレてしまうことがあり、これにより、この後の釘打ち工程、部材取付工程等において識別コードの内容を読み取ることが困難になるという問題があった。
【０２７０】
本発明は、かかる問題点に鑑みて案出されたものであり、遊技盤の作製において当該遊技盤に施される加工の位置を正確かつ容易に案内することが可能な、遊技機、当該遊技機を構成する遊技盤、当該遊技盤の加工位置案内用の案内具ならびに当該遊技盤を製造する製造方法を提供することを目的とする。
【０２７１】
[課題を解決するための手段Ｂ１〜手段Ｂ１０]
本発明にかかる遊技盤の加工位置案内具は、上記目的を達成するために、手段Ｂ１として、
遊技機の遊技領域を前面によって形成する遊技板に遊技部品を装着してなる遊技盤の作製工程において、該遊技板に施される加工の位置を案内することが可能な案内具であって、
前記遊技板に対して前記加工の位置を案内することが可能な案内体勢とされたときに、当該加工の位置に沿って位置する案内部と、
前記案内体勢において前記遊技板の上面または下面に対向する第１対向部と、
前記案内体勢において前記遊技板の一方の側面に対向する第２対向部と、
前記案内体勢において前記遊技板の上辺または下辺に対し外方へ向けて突出または内方へ向けて凹入する第１把手部と、
前記案内体勢において前記遊技板の一方の側辺に対し外方へ向けて突出または内方へ向けて凹入する第２把手部と、
を備えることを特徴とする。
【０２７２】
本発明において、「遊技部品」には、表示装置、入賞装置、制御装置等がいずれも含まれる。
【０２７３】
上記手段Ｂ１の構成によれば、第１および第２対向部を遊技板の上面または下面ならびに一方の側面にそれぞれ対向させることで案内具を遊技板に対して正確かつ容易に所定の案内体勢とすることができる。このとき、第１および第２把手部を把持することにより、容易かつ確実に案内具を所定の案内体勢にセットし保持することができる。こうして案内具を案内体勢とした状態で、案内部に沿って加工を行うことで、遊技板に対して正確な位置に容易に加工を施すことができる。
【０２７４】
また、本発明にかかる遊技盤の加工位置案内具は、手段Ｂ２として、手段Ｂ１の遊技盤の加工位置案内具において、
前記案内部が、遊技板に対して加工位置を案内することが可能な案内体勢とされたときに当該加工位置の上端位置または下端位置を案内する上下端位置案内部および当該加工位置の一方側端位置を案内する一方側端位置案内部を有することを特徴とする。
【０２７５】
上記手段Ｂ２の構成によれば、加工位置の上端位置または下端位置ならびに一方側端位置を上下端位置案内部および一方側端位置案内部にそれぞれ合わせることでその上下位置および左右位置を容易かつ正確に合わせることができる。
【０２７６】
また、本発明にかかる遊技盤の加工位置案内具は、手段Ｂ３として、手段Ｂ１または手段Ｂ２の遊技盤の加工位置案内具において、
前記第１対向部および第２対向部が、前記遊技板の出隅部に対応する折曲形状をなして横方向および縦方向にそれぞれ延びる壁の内面となっており、前記壁において折曲部から遠い側の両端部に、それぞれ外方へ向けて突出するように第１把手部および第２把手部が配設されていることを特徴とする。
【０２７７】
上記手段Ｂ３の構成によれば、遊技板に対する工位置案内具の位置決めがより安定し、加工位置をより容易かつ正確に案内することができる。
【０２７８】
また、本発明にかかる遊技盤の加工位置案内具は、手段Ｂ４として、手段Ｂ１から手段Ｂ３のいずれかの遊技盤の加工位置案内具において、
前記第１把手部および第２把手部のうちの少なくとも一方が、加工位置の上下位置または左右位置の基準となる基準線の一部を形成していることを特徴とする。
【０２７９】
上記手段Ｂ４の構成によれば、該第１把手部ないし第２把手部の体勢によって加工位置案内具の位置決めが正確になされているか否かを容易に確認することができる。またこのとき、該第１把手部ないし第２把手部自体が直接把持される部分であるので、加工位置案内具の体勢を調整し易い。
【０２８０】
また、本発明にかかる遊技盤の加工位置案内具は、手段Ｂ５として、手段Ｂ１から手段Ｂ４のいずれかの遊技盤の加工位置案内具において、
前記加工の位置が実質的に白色であり、
少なくとも前記案内部が実質的に黒色で構成されていることを特徴とする。
【０２８１】
上記手段Ｂ５の構成によれば、加工位置の白色とコントラストをなして案内部が明瞭で見易くなり、したがって加工位置を容易かつ正確に案内することができる。
【０２８２】
また、本発明にかかる遊技盤の加工位置案内具は、手段Ｂ６として、手段Ｂ１から手段Ｂ５のいずれかの遊技盤の加工位置案内具において、
前記加工が、遊技板にシート状の部材を付加することとなっており、前記加工位置案内具が、案内部を有する壁を備え、該壁における案内部の近傍に、遊技板側を視認可能とする窓部が配設されていることを特徴とする。
【０２８３】
上記手段Ｂ６の構成によれば、シート状部材が加工位置よりずれて壁の裏側に入り込んだ場合に、窓部を覗き窓としてこのシート状部材がずれた状態にあることを容易に発見することができる。
【０２８４】
また、本発明にかかる遊技盤の加工位置案内具は、手段Ｂ７として、手段Ｂ６の遊技盤の加工位置案内具において、
前記窓部が、前記案内部の方向を指示する形状となるように形成されていることを特徴とする。
【０２８５】
上記手段Ｂ７の構成によれば、加工位置がある方向が明瞭に示される。また、この加工位置を指示する記号としての機能と覗き窓としての機能とを該窓部が兼備することとなり、したがってそのぶん加工位置案内具の構成が簡潔となる。
【０２８６】
また、本発明にかかる遊技盤の製造方法は、上記目的を達成するために、手段Ｂ８として、
前記手段Ｂ１から手段Ｂ６のいずれかの遊技盤の加工位置案内具を用いて遊技盤に加工を施すことを特徴とする。
【０２８７】
上記手段Ｂ８の構成によれば、遊技盤の作製において当該遊技盤に施される加工の位置を正確かつ容易に案内することができる。
【０２８８】
また、本発明にかかる遊技盤は、上記目的を達成するために、手段Ｂ９として、
前記手段Ｂ８の遊技盤の製造方法により作製されたものであることを特徴とする。
【０２８９】
上記手段Ｂ９の構成によれば、製造が容易で、加工位置に正確に加工が施された遊技盤を得ることができる。
【０２９０】
また、本発明にかかる遊技機は、上記目的を達成するために、手段Ｂ１０として、
前記手段Ｂ９の遊技盤を備えることを特徴とする。
【０２９１】
上記手段Ｂ１０の構成によれば、製造が容易で信頼性の高い遊技機を得ることができる。
【０２９２】
[手段Ｃ１〜手段Ｃ７に係る発明の背景技術]
従来、パチンコ機等の遊技機は、数多くの工程を経て製造されている。例えば、パチンコ機の遊技領域を構成する遊技盤は、まずベニヤ板等の板材の表面に装飾シートを貼付して、ベース（基材）となる装飾板を製造した後、当該装飾板を所定形状に切削するルーター加工等を経て製造される。そして、ルーター加工後の装飾板に対し多数の釘を植設するとともに、表示装置や入賞装置、装飾部材等といった各種部材を取付けることにより、遊技盤が完成する。
【０２９３】
近年では、製造する遊技機の種別（機種）等を特定可能なバーコート等の識別コードを遊技盤の装飾シート等に対し印刷することにより、製造工程を管理している（例えば、特許文献１：特開平７−３１３６７３号公報参照）。例えば、各種部材の取付工程においては、所定の読取装置により遊技盤に付されたバーコードの内容を読み取り、当該遊技盤に対しその機種に応じた各種部材の取付作業を行う。
【０２９４】
[手段Ｃ１〜手段Ｃ７に係る発明が解決しようとする課題]
ところが、装飾シートを板材へ貼付するシート貼付装置へ当該装飾シートを予めセットする作業や、識別コードを印刷する印刷装置へ各種情報を予め入力する作業などは、作業者が人為的に行うため、かかる工程での装飾シートのセットミスや情報の入力ミスが発生した場合には、装飾シートの種類と、当該シートに印刷された識別コードの内容とが一致しないこととなる。つまり、所望の機種に対応しない装飾シートや識別コードが付された装飾板（遊技盤）が次工程に送られるおそれがある。
【０２９５】
本発明は、上記例示した問題点などを解決するためになされたものであり、その目的は、製造過程における管理性の向上を図ることのできる遊技機、遊技盤、装飾板、及び、装飾板の製造方法を提供することにある。
【０２９６】
[課題を解決するための手段Ｃ１〜手段Ｃ７]
本発明にかかる装飾板の製造方法は、上記目的を達成するために、手段Ｃ１として、
遊技機の遊技盤を構成する装飾板の製造方法であって、
前記遊技機の種別を特定可能な情報（機種名情報）を含んだ第１識別コード（仮識別コード）が付された装飾シートを板材に貼付するシート貼付工程と、
前記板材に貼付された装飾シートに対し、前記遊技機の種別を特定可能な情報（機種名情報）を含んだ第２識別コード（本識別コード）を付すコード付け工程と、
前記コード付け工程の前段階又は後段階において、前記第１識別コードの内容と前記第２識別コードの内容とを照合する照合工程とを備えたことを特徴とする。
【０２９７】
上記手段Ｃ１によれば、装飾板に対し識別コード（第２識別コード）を付すにあたり、当該識別コードの内容と、事前に装飾シートに付された仮識別コード（第１識別コード）の内容とを照合する。このため、仮にシート貼付工程における装飾シートのセットミスや、コード付け工程に係る情報の入力ミス等に起因して、装飾シートの貼り間違いや識別コードの付け間違い等が発生した場合であっても、上記照合結果に基づき警告報知を行ったり、生産ラインを停止するなど所定の処理を実行することにより、所望の機種に対応しない装飾シートや識別コードが付された装飾板が次工程に送られるといった不具合の発生を防止することができる。結果として、製造過程における管理性の向上を図ることができる。
【０２９８】
なお、予め装飾シートに対し本識別コード（第２識別コード）を付しておくことも考えられるが、かかる場合には、当該本識別コードの内容に、予め定められた機種名情報等だけしか含ませることができない。
【０２９９】
この点、本手段Ｃ１によれば、予め定められた機種名情報等のみならず、製造年月日や生産ライン等に関する情報を本識別コード（第２識別コード）の内容に含ませることができる。結果として、その後の製造過程において何らかの不具合が発生した場合において追跡調査が可能となるなど、利便性が向上する。
【０３００】
上記のように、第１識別コードの内容と第２識別コードの内容は完全一致させる必要はない。従って、上記照合工程においては、少なくとも両識別コードに共通する機種名情報等の基本情報のみを対比し、両識別コードの内容が一致するか否かを判断すれば足りる。
【０３０１】
また、本発明にかかる装飾板の製造方法は、手段Ｃ２として、手段Ｃ１の装飾板の製造方法において、
前記第１識別コード及び第２識別コードのうち、少なくとも前記第２識別コードは、二次元コードであることを特徴とする。
【０３０２】
近年のパチンコ機等においては、遊技領域が拡大化する傾向にあり、製造過程にのみ必要な識別コードを付す遊技領域外の部位が減少している。このため、第１識別コードに加え、第２識別コードを付す領域を確保することが困難となるおそれがある。第１識別コードは製造の最終段階まで残す必要のないものであるため、後工程において切除される部位に付しておけばよいが、第２識別コードは後工程の管理に必須のものであるため、付す領域を確保することがより困難となるおそれがある。
【０３０３】
この点、本手段Ｃ２のように、第２識別コードを二次元コードとすることで、比較的狭い領域においても十分な情報量を確保して付すことができる。
【０３０４】
また、本発明にかかる装飾板の製造方法は、手段Ｃ３として、手段Ｃ１または手段Ｃ２の装飾板の製造方法において、
四角形状をなす前記装飾シートのうちの第１のコーナー部の近傍において第１識別コードが付され、前記第１のコーナー部と対角にあたる第２のコーナー部の近傍において前記第２識別コードが付されるようにしたことを特徴とする。
【０３０５】
上記手段Ｃ３の構成によれば、第１識別コードと第２識別コードをより離して配置することができ、両識別コードを混同して読み取ってしまうといった不具合の発生を防止することができる。
【０３０６】
また、本発明にかかる装飾板の製造方法は、手段Ｃ４として、手段Ｃ１から手段Ｃ３のいずれかの装飾板の製造方法において、
前記コード付け工程は、レーザー刻印により行われることを特徴とする。
【０３０７】
識別コードを装飾シートに直接印刷する構成やラベルシールとして貼付する構成では、製造過程で装飾板を積み重ねる等した場合に摩擦等により擦れて識別コードが読取不能となったり、ラベルシールが剥れるおそれがある。
【０３０８】
この点、本手段Ｃ４のように、装飾シートに対しレーザー刻印により識別コードを付すことにより、このような不具合の発生を防止することができる。
【０３０９】
また、本発明にかかる装飾板は、上記目的を達成するために、手段Ｃ５として、
上記手段１から手段Ｃ４のいずれかに記載の製造方法によって製造されたものであることを特徴とする。
【０３１０】
また、本発明にかかる遊技盤は、上記目的を達成するために、手段Ｃ６として、
上記手段Ｃ５に記載された装飾板のうち、少なくとも前記第１識別コードが付された部位を切除する工程を経て形成されたものであることを特徴とする。
【０３１１】
上記手段Ｃ６の構成によれば、第１識別コードが付された部位がルーター加工等により切除されることにより、その後の工程において、第１識別コードと第２識別コードを混同して読み取ってしまうといった不具合の発生を防止することができる。また、装飾板から切除される部位に第１識別コードを付しておくことにより、後工程の管理に必須な第２識別コードを付す領域を確保することができる。
【０３１２】
また、本発明にかかる遊技機は、上記目的を達成するために、手段Ｃ７として、
上記手段Ｃ６に記載の遊技盤を備えたものであることを特徴とする。
【０３１３】
このような遊技盤を備えた遊技機としては、例えばパチンコ機等の弾球遊技機が挙げられる。
【０３１４】
従来、パチンコ機等の遊技機においては、多くの機種が存在する。また、互いに似通った機種でありながら、大当たりの発生確率などが相違するシリーズ機と称されるものも存在する。かかるパチンコ機等の遊技機にあっては、装飾シートのデザインが類似していることもあり、上述した装飾シートの貼り間違い等が発生しやすくなるおそれがある。仮に大当たり発生確率や大当たり時の賞球数が異なるシリーズ機間で、装飾シートの貼り間違いが発生すると、遊技者や遊技場関係者にとって不足の不利益が及んでしまうことが懸念される。従って、かかるパチンコ機等の遊技機にあっては、上記手段Ｃ１の構成等がより奏功することとなる。
【産業上の利用可能性】
【０３１５】
本発明は、パチンコ機等の遊技機に好適に実施することが可能である。
【符号の説明】
【０３１６】
６０１：セルシート
６１２：アルミニウム層（金属含有層）
６１３：外側層
６１７：表面樹脂層（樹脂含有層）
６１８：通気孔
【図１】
0005867678.tif 000002
【図２】
0005867678.tif 000003
【図３】
0005867678.tif 000004
【図４】
0005867678.tif 000005
【図５】
0005867678.tif 000006
【図６】
0005867678.tif 000007
【図７】
0005867678.tif 000008
【図８】
0005867678.tif 000009
【図９】
0005867678.tif 000010
【図１０】
0005867678.tif 000011
【図１１】
0005867678.tif 000012
【図１２】
0005867678.tif 000013
【図１３】
0005867678.tif 000014
【図１４】
0005867678.tif 000015
【図１５】
0005867678.tif 000016
【図１６】
0005867678.tif 000017
【図１７】
0005867678.tif 000018
【図１８】
0005867678.tif 000019
【図１９】
0005867678.tif 000020
【図２０】
0005867678.tif 000021
【図２１】
0005867678.tif 000022
【図２２】
0005867678.tif 000023
【図２３】
0005867678.tif 000024
【図２４】
0005867678.tif 000025
【図２５】
0005867678.tif 000026
【図２６】
0005867678.tif 000027
【図２７】
0005867678.tif 000028
【図２８】
0005867678.tif 000029
【図２９】
0005867678.tif 000030
【図３０】
0005867678.tif 000031
【図３１】
0005867678.tif 000032